(57)【要約】  本開示の番組情報表示装置は、テレビ（３）により表示されている映像番組と映像番組内でのシーンとを特定する特定情報を取得する特定部（２１）と、特定情報により特定される映像番組に関する番組情報であって、互いに内容の異なる第１の番組情報と、第２の番組情報とを含む番組情報を取得する番組情報取得部（２２）と、番組情報取得部（２２）により取得された番組情報を表示する表示部（２４）と、特定情報によって特定される映像番組内のシーンが、ＣＭ以外のシーンからＣＭのシーンに切り替わる場合、ＣＭ以外のシーンからＣＭのシーンへの切り替わりに応じて、表示部（２４）に表示させる番組情報を第１の番組情報から第２の番組情報に切り替える制御部（２３）とを備える。
2013179364.tif 000002
【特許請求の範囲】
【請求項１】
映像表示装置により表示されている映像番組と前記映像番組内でのシーンとを特定する特定情報を取得する特定部と、
前記特定情報により特定される前記映像番組に関する番組情報であって、互いに内容の異なる第１の番組情報と、第２の番組情報とを含む番組情報を取得する取得部と、
前記取得部により取得された前記番組情報を表示する表示部と、
前記特定情報によって特定される前記映像番組内のシーンが、ＣＭ（コマーシャルメッセージ）以外のシーンから前記ＣＭのシーンに切り替わる場合、前記ＣＭ以外のシーンから前記ＣＭのシーンへの切り替わりに応じて、前記表示部に表示させる前記番組情報を前記第１の番組情報から前記第２の番組情報に切り替える制御部とを備える、
番組情報表示装置。
【請求項２】
前記制御部は、
前記特定情報によって特定される前記映像番組内のシーンが、前記ＣＭ以外のシーンから前記ＣＭのシーンに切り替わる場合、前記ＣＭ以外のシーンから前記ＣＭのシーンへの切り替わり直後に、前記表示部に表示させる前記番組情報を前記第１の番組情報から前記第２の番組情報に切り替える、
請求項１に記載の番組情報表示装置。
【請求項３】
前記制御部は、
前記特定情報によって特定される前記映像番組内のシーンが、前記ＣＭ以外のシーンから前記ＣＭのシーンに切り替わる場合、前記ＣＭ以外のシーンから前記ＣＭのシーンへの切り替わり直前に、前記表示部に表示させる前記番組情報を前記第１の番組情報から前記第２の番組情報に切り替える、
請求項１に記載の番組情報表示装置。
【請求項４】
前記制御部は、さらに、
前記特定情報によって特定される前記映像番組内のシーンが、前記ＣＭのシーンから前記ＣＭ以外のシーンに切り替わる場合、前記ＣＭのシーンから前記ＣＭ以外のシーンへの切り替わりに応じて、前記表示部に表示させる前記番組情報を前記第２の番組情報から前記第１の番組情報に切り替える、
請求項１〜３のいずれか１項に記載の番組情報表示装置。
【請求項５】
前記制御部は、
前記特定情報によって特定される前記映像番組内のシーンが、前記ＣＭのシーンから前記ＣＭ以外のシーンに切り替わる場合、前記ＣＭのシーンから前記ＣＭ以外のシーンへの切り替わり直後に、前記表示部に表示させる前記番組情報を前記第２の番組情報から前記第１の番組情報に切り替える、
請求項４に記載の番組情報表示装置。
【請求項６】
前記制御部は、
前記特定情報によって特定される前記映像番組内のシーンが、前記ＣＭのシーンから前記ＣＭ以外のシーンに切り替わる場合、前記ＣＭのシーンから前記ＣＭ以外のシーンへの切り替わり直前に、前記表示部に表示させる前記番組情報を前記第２の番組情報から前記第１の番組情報に切り替える、
請求項４に記載の番組情報表示装置。
【請求項７】
前記制御部は、さらに、前記映像表示装置で前記ＣＭのシーンの表示がスキップされたか否かを検出し、
前記制御部は、前記映像表示装置で前記ＣＭのシーンの表示がスキップされたことを検出した場合、前記表示部に表示させる前記番組情報を前記第２の番組情報に切り替えずに前記第１の番組情報のままとする、
請求項１〜６のいずれか１項に記載の番組情報表示装置。
【請求項８】
前記番組情報表示装置は、さらに、少なくとも前記第２の番組情報を保持する保持部を備え、
前記取得部は、前記映像表示装置で前記映像番組を構成する前記ＣＭのシーンが表示される前に、前記第２の番組情報を含む番組情報を取得して、取得した前記第２の番組情報を前記保持部に保持させ、
前記制御部は、前記ＣＭ以外のシーンから前記ＣＭのシーンへの切り替わりに応じて、前記表示部に表示させる前記番組情報を前記第１の番組情報から前記保持部により保持されている前記第２の番組情報に切り替える、
請求項１〜７のいずれか１項に記載の番組情報表示装置。
【請求項９】
前記取得部は、前記映像表示装置で前記映像番組を構成する前記ＣＭのシーンが表示されたときに、前記第２の番組情報を含む番組情報を取得し、
前記制御部は、前記ＣＭ以外のシーンから前記ＣＭのシーンへの切り替わりに応じて、前記表示部に表示させる前記番組情報を前記第１の番組情報から前記取得部により取得された前記第２の番組情報に切り替える、
請求項１〜７のいずれか１項に記載の番組情報表示装置。
【請求項１０】
前記制御部は、
前記映像表示装置で前記ＣＭのシーンの表示がスキップされた場合、前記保持部に保持されている前記第２の番組情報を破棄し、前記表示部に表示させる前記番組情報を前記第２の番組情報に切り替えずに前記第１の番組情報のままとする、
請求項８に記載の番組情報表示装置。
【請求項１１】
前記制御部は、さらに、前記映像表示装置で前記ＣＭ以外のシーンの表示が所定時間以上されたか否かを検出し、
前記制御部は、前記映像表示装置により前記ＣＭ以外のシーンの表示が所定時間以上されていないことを検出した場合、前記特定情報によって特定される前記映像番組内のシーンが、前記ＣＭ以外のシーンから前記ＣＭのシーンに切り替わるときでも、前記表示部に表示させる前記番組情報を前記第２の番組情報に切り替えずに前記第１の番組情報のままとする、
請求項１〜１０のいずれか１項に記載の番組情報表示装置。
【請求項１２】
前記映像番組は、ＣＭ以外のシーンと前記ＣＭのシーンとで構成され、
前記ＣＭ以外のシーンとは、映像番組を構成する本編のシーンである、
請求項１〜１１のいずれか１項に記載の番組情報表示装置。
【請求項１３】
前記第１の番組情報は、前記映像番組を構成する前記ＣＭ以外のシーンの番組内容に関連する番組情報であり、
前記第２の番組情報は、前記映像表示装置で前記映像番組を構成する前記ＣＭのシーンが表示される間に前記表示部で表示される番組情報であって、前記映像番組を構成する前記ＣＭ以外のシーン内容に関連する番組情報である、
請求項１〜１２のいずれか１項に記載の番組情報表示装置。
【請求項１４】
映像番組と前記映像番組内でのシーンとを特定する特定情報を取得する特定部と、
前記特定情報により特定される前記映像番組に関する番組情報であって、互いに内容の異なる第１の番組情報と、第２の番組情報とを含む番組情報を取得する取得部と、
前記映像番組と、前記取得部により取得された前記番組情報とを表示する表示部と、
前記特定情報によって特定される前記映像番組内のシーンが、ＣＭ（コマーシャルメッセージ）以外のシーンから前記ＣＭのシーンに切り替わる場合、前記ＣＭ以外のシーンから前記ＣＭのシーンへの切り替わりに応じて、前記表示部に表示させる前記番組情報を前記第１の番組情報から前記第２の番組情報に切り替える制御部とを備える、
番組情報表示装置。
【請求項１５】
映像番組と前記映像番組内でのシーンとを特定する特定情報を取得する特定部と、
前記特定情報により特定される前記映像番組に関する番組情報であって、互いに内容の異なる第１の番組情報と、第２の番組情報とを含む番組情報を取得する取得部と、
前記映像番組と、前記番組情報とを保持する保持部と、
前記保持部に保持された前記映像番組を再生する再生部と、
前記再生部により再生されている前記映像番組であって前記取得部により取得された前記特定情報により特定される前記映像番組の前記番組情報を出力する出力部と、
前記再生部により再生されている前記映像番組内のシーンが、ＣＭ（コマーシャルメッセージ）以外のシーンから前記ＣＭのシーンに切り替わる場合、前記ＣＭ以外のシーンから前記ＣＭのシーンへの切り替わりに応じて、前記出力部が出力する前記番組情報を前記第１の番組情報から前記第２の番組情報に切り替える制御部と、を備える、
番組情報出力装置。
【請求項１６】
映像表示装置により表示されている映像番組と前記映像番組内でのシーンとを特定する特定情報を取得する特定部と、
前記特定情報により特定される前記映像番組に関する番組情報であって、互いに内容の異なる第１の番組情報と、第２の番組情報とを含む番組情報を取得する取得部と、
前記取得部により取得された前記番組情報を出力する出力部と、
前記特定情報によって特定される前記映像番組内のシーンが、ＣＭ（コマーシャルメッセージ）以外のシーンから前記ＣＭのシーンに切り替わる場合、前記ＣＭ以外のシーンから前記ＣＭのシーンへの切り替わりに応じて、前記出力部が出力する前記番組情報を前記第１の番組情報から前記第２の番組情報に切り替える制御部と、を備える、
番組情報出力装置。
【請求項１７】
映像表示装置により表示されている映像番組と前記映像番組内でのシーンとを特定する特定情報を取得する特定ステップと、
前記特定情報により特定される前記映像番組に関する番組情報であって、互いに内容の異なる第１の番組情報と、第２の番組情報とを含む番組情報を取得する取得ステップと、
前記取得ステップにおいて取得された前記番組情報を表示部に表示する表示ステップと、
前記特定情報によって特定される前記映像番組内のシーンが、ＣＭ（コマーシャルメッセージ）以外のシーンから前記ＣＭのシーンに切り替わる場合、前記ＣＭ以外のシーンから前記ＣＭのシーンへの切り替わりに応じて、前記表示ステップで前記表示部に表示させる前記番組情報を前記第１の番組情報から前記第２の番組情報に切り替える切替ステップとを含む、
番組情報表示方法。
【請求項１８】
番組情報方法をコンピュータに実行させるためのプログラムであって、
映像表示装置により表示されている映像番組と前記映像番組内でのシーンとを特定する特定情報を取得する特定ステップと、
前記特定情報により特定される前記映像番組に関する番組情報であって、互いに内容の異なる第１の番組情報と、第２の番組情報とを含む番組情報を取得する取得ステップと、
前記取得ステップにおいて取得された前記番組情報を表示部に表示する表示ステップと、
前記特定情報によって特定される前記映像番組内のシーンが、ＣＭ（コマーシャルメッセージ）以外のシーンから前記ＣＭのシーンに切り替わる場合、前記ＣＭ以外のシーンから前記ＣＭのシーンへの切り替わりに応じて、前記表示ステップで前記表示部に表示させる前記番組情報を前記第１の番組情報から前記第２の番組情報に切り替える切替ステップとを含む、
プログラム。
【発明の詳細な説明】
【技術分野】
【０００１】
本発明は、番組情報表示装置、番組情報出力装置および番組情報表示方法に関する。
【背景技術】
【０００２】
テレビ等の映像表示装置が表示する映像番組の番組内容に従って、映像番組の内容と関連する番組情報を表示する番組情報表示装置がある（例えば、特許文献１）。
【先行技術文献】
【特許文献】
【０００３】
【特許文献１】特開２００２‐２０９２０４号公報
【発明の概要】
【発明が解決しようとする課題】
【０００４】
テレビの番組等の映像番組は、本編と本編中に挿入されるＣＭ（コマーシャルメッセージ）等とで構成されている場合が多い。【０００５】
しかしながら、従来技術では、映像番組が本編からＣＭに切り替わった場合、視聴者にＣＭを表示させ続けるための動機付けが十分でない。【０００６】
そこで、本開示は、映像番組がＣＭ以外のシーン（本編のシーン）からＣＭのシーンに切り替わった場合でも、視聴者にＣＭを表示させ続けることのできる番組情報表示装置、番組情報出力装置および番組情報表示方法を提供する。
【課題を解決するための手段】
【０００７】
本開示における番組情報表示装置は、映像表示装置により表示されている映像番組と前記映像番組内でのシーンとを特定する特定情報を取得する特定部と、前記特定情報により特定される前記映像番組に関する番組情報であって、互いに内容の異なる第１の番組情報と、第２の番組情報とを含む番組情報を取得する取得部と、前記取得部により取得された前記番組情報を表示する表示部と、前記特定情報によって特定される前記映像番組内のシーンが、ＣＭ（コマーシャルメッセージ）以外のシーンから前記ＣＭのシーンに切り替わる場合、前記ＣＭ以外のシーンから前記ＣＭのシーンへの切り替わりに応じて、前記表示部に表示させる前記番組情報を前記第１の番組情報から前記第２の番組情報に切り替える制御部とを備える。
【発明の効果】
【０００８】
本開示における番組情報表示装置は、映像番組がＣＭ以外のシーン（本編のシーン）からＣＭのシーンに切り替わった場合でも、視聴者にＣＭを表示させ続けることができる。
【図面の簡単な説明】
【０００９】
【図１】図１は、実施の形態１に係る番組関連情報提供システムの構成例を示す図である。
【図２Ａ】図２Ａは、実施の形態１に係る番組情報提供サーバの構成を示すブロック図である。
【図２Ｂ】図２Ｂは、実施の形態１に係る番組特定サーバの構成を示すブロック図である。
【図３】図３は、実施の形態１に係る携帯端末の構成を示すブロック図である。
【図４】図４は、実施の形態１に係る携帯端末のハードウェア構成例を示す図である。
【図５】図５は、実施の形態１に係るテレビの構成を示すブロック図である。
【図６】図６は、実施の形態１に係る番組関連情報提供システムを構成する番組情報提供サーバと、携帯端末と、番組特定サーバとの間の処理の流れを示すシーケンス図である。
【図７】図７は、実施の形態１に係る携帯端末の動作を説明するためのフローチャートである。
【図８】図８は、ユーザが視聴中の映像番組内でのシーンの切り替わりと、表示する番組情報の切り替わりのタイミング例を示す図である。
【図９】図９は、実施の形態２に係る番組関連情報提供システムの構成例を示す図である。
【図１０】図１０は、実施の形態２に係る携帯端末の構成を示すブロック図である。
【図１１】図１１は、実施の形態２に係る録画機能付きテレビの構成を示すブロック図である。
【図１２】図１２は、実施の形態２に係る携帯端末の動作を説明するためのフローチャートである。
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者（ら）は、当業者が本開示を十分に理解するために添付図面および以下の説明を提供するのであって、これらによって請求の範囲に記載の主題を限定することを意図するものではない。
【００１２】
（実施の形態１）
以下、図１〜図８を用いて、実施の形態１を説明する。
【００１３】
［１−１．構成］
図１は、実施の形態１に係る番組関連情報提供システムの構成例を示す図である。図２Ａは、実施の形態１に係る番組情報提供サーバの構成を示すブロック図である。図２Ｂは、実施の形態１に係る番組特定サーバの構成を示すブロック図である。図３は、実施の形態１に係る携帯端末の構成を示すブロック図である。図４は、実施の形態１に係る携帯端末のハードウェア構成例を示す図である。図５は、実施の形態１に係るテレビの構成を示すブロック図である。
【００１４】
図１に示す番組関連情報提供システムは、番組情報提供サーバ１と、携帯端末２と、テレビ３と、ネットワーク４と、放送局５と、番組特定サーバ６と、を備える。
【００１５】
ネットワーク４は、番組情報提供サーバ１と、携帯端末２と、番組特定サーバ６とを接続するための通信媒体である。
【００１６】
放送局５は、テレビ３に映像番組を配信（放送）する配信元である。本実施の形態では、放送局を例として示すが、本実施の形態の発明はこれに限定されるものではない。テレビ３へ映像番組を送信するものであれば、放送局に限らず、ケーブルテレビ等の有線による配信局であってもよいし、ビデオオンデマンドのサーバでもよいし、ＩＰ放送のサーバ等を用いたコンピュータネットワークによるデータ送信装置等であってもよい。
【００１７】
番組情報提供サーバ１は、テレビ３等で表示されている映像番組内でのシーン（番組シーンとも記載）を特定する特定情報（シーン情報）等に基づいて、例えば放送されるテレビ番組の内容等に関連するコンテンツ（番組情報と記載）等、映像番組に関する番組情報を提供する。番組情報提供サーバ１は、携帯端末２などからの提供要求に応じて映像番組に対応する番組情報（コンテンツ）を提供する。
【００１８】
ここで、以下で用いる用語について説明する。
【００１９】
「番組情報（コンテンツ）」とは、映像番組に関する番組情報すなわち映像番組の内容に関連する情報である。例えば、映像中（表示されている映像番組）に俳優など人物が表示されている場合には、番組情報は、その俳優の各種情報（生年月日、性別、出演作品、俳優暦などのプロフィールや、その俳優に関するニュースなど）である。また、例えば、表示されている映像番組中に、商品が表示されている場合は、番組情報は、その商品の情報（製造メーカ、販売代理店、商品価格、商品紹介のＵＲＬ、商品レビュー等の情報など）である。また、例えば、表示されている映像番組がニュースである場合には、番組情報は、ニュースに関する情報（ニュースの概略、ニュース対象の主体、関連するニュース、当該ニュースに対する世間の評判等の情報など）である。つまり、番組情報（コンテンツ）とは、テレビ３等で表示されている映像番組中において、表示される内容または話題として取り上げられる内容、これらに関連する間接的な内容に関連する情報のことを意味する。
【００２０】
なお、本実施の形態では、番組特定情報は、例えば、放送局（映像配信元）、番組名、番組内での視聴位置（映像番組開始時からの経過時間等）、番組放送日時（配信日時）、等であるとして説明するが、この例に限定されない。番組を特定する情報、番組内での視聴部分等を特定する情報であればその他の情報構成であってもよい。
【００２１】
また、「番組シーンを特定する特定情報（シーン情報）」とは、映像番組内でのシーンを特定するための情報であり、典型的には表示されている映像番組内でのシーンを説明する情報である。例えば、表示されている映像番組がドラマである場合には、シーン情報は、ドラマのシーンの各種情報（どのようなシーンであるか、本編かＣＭか、次のシーンまで何秒か、シーンＩＤ等の情報、あるいは番組冒頭からの経過時間、放送される際に当該シーンが表示される絶対時間など）である。
【００２２】
なお、本実施の形態では、シーン情報は、例えば、シーンＩＤ，シーンタイプ（番組本編、ＣＭ）、シーン名、シーン開始時刻、シーン終了時刻、等の少なくともひとつを含むとして説明するが、それに限定されない。番組シーンを特定できる情報であればその他の情報構成であってもよい。
【００２３】
また、番組情報提供サーバ１は、図２Ａに示すように、制御部１１と、送信部１２と、番組情報データベース１３と、を備える。
【００２４】
制御部１１は、番組情報提供サーバ１全体を制御するとともに、番組情報（コンテンツ）を送信する制御を行う。具体的には、制御部１１は、携帯端末２から映像番組の放送局、表示日時の情報などを含む映像番組を特定する特定情報（番組特定情報）や、当該映像番組内の番組シーンを特定する特定情報（シーン情報）を受信すると、番組情報データベース１３から取得する当該番組シーンに関する（対応した）番組情報（コンテンツ）を送信する制御を行う。
【００２５】
送信部１２は、特定情報（番組特定情報やシーン情報）に基づき、制御部１１が番組情報データベース１３から取得した番組情報（コンテンツ）を携帯端末２へ送信する。
【００２６】
番組情報データベース１３は、特定情報（番組特定情報やシーン情報）により特定される映像番組に関連する番組情報（コンテンツ）を保持する。
【００２７】
番組特定サーバ６は、テレビ３等で表示されている映像番組を特定する特定情報（番組特定情報）や当該映像番組内の番組シーンを特定する特定情報（シーン情報）を提供する。具体的には、番組特定サーバ６は、携帯端末２などからの要求に応じて番組を特定する特定情報（番組特定情報）や当該映像番組内の番組シーンを特定する特定情報（シーン情報）を提供する。
【００２８】
番組特定サーバ６は、図２Ｂに示すように、制御部６１と、送信部６２と、番組位置データベースと、を備える。
【００２９】
制御部６１は、番組特定サーバ６全体を制御する。また、制御部６１は、テレビ３が表示する映像番組に基づいて、番組位置データベース６３から、該当する映像番組の番組特定情報、及び、その映像番組内での位置等を示す番組シーンを特定するシーン情報等を取得する。
【００３０】
本実施の形態では、制御部６１は、送信部６２を介して受信したデータ、例えばテレビ３が表示する映像番組の映像データもしくは音声データに基づいて、番組位置データベース６３から、番組特定情報を取得する。また、制御部６１は、送信部６２を介して受信したデータ、例えば表示日時および放送局、または、テレビ３が表示する映像番組の映像データもしくは音声データに基づいて、番組位置データベース６３から、映像番組内での位置等を示すシーン情報を取得する。そして、制御部６１は、取得した特定情報（番組特定情報、シーン情報）を、送信部６２を介して、携帯端末２へ送信する。
【００３１】
送信部６２は、制御部６１の指示等に従って、携帯端末２から、映像番組の音声等の映像番組に関する情報を受信し、番組位置データベース６３から抽出された特定情報（番組特定情報、シーン情報等）を携帯端末２へ送信する。
【００３２】
番組位置データベース６３は、放送局等から放送される映像番組の番組内容を特定する特定情報（番組特定情報）や、その映像番組内でのシーンを特定する特定情報（シーン情報）等を保持している。
【００３３】
携帯端末２は、番組情報表示装置の一例であり、番組情報（コンテンツ）を番組情報提供サーバ１から受信し、利用者（ユーザ）に受信した番組情報（コンテンツ）を表示する。
【００３４】
本実施の形態では、携帯端末２は、まず、テレビ３から出力される映像もしくは音声を利用して、特定情報（番組特定情報およびシーン情報）を取得する。換言すると、携帯端末２は、取得した映像もしくは音声を番組特定サーバ６へ送信することで、映像番組の放送局や表示日時、表示中の映像番組内でのシーンなどを特定する特定情報を取得する。そして、携帯端末２は、特定情報を用いて、番組情報（コンテンツ）を取得し、利用者（ユーザ）に提示（表示）する。以下、具体的に説明する。
【００３５】
携帯端末２は、図３に示すように、特定部２１と、番組情報取得部２２と、制御部２３と、表示部２４と、保持部２５と、マイク２６と、カメラ２７と、を備える。ここで、携帯端末２は、ネットワーク４を介して、番組情報提供サーバ１や番組特定サーバ６と物理的に直接接続されていてもよいし、ネットワーク４とそれぞれの間に１つ以上の装置を介在させて接続されているものであってもよい。
【００３６】
特定部２１は、テレビ３により表示されている映像番組と映像番組内でのシーンとを特定する特定情報（番組特定情報およびシーン情報）を取得する。具体的には、特定部２１は、テレビ３で視聴者が視聴している映像番組の放送局（配信元）、及び当該映像番組の表示日時などの番組特定情報を、テレビ３から出力される映像もしくは音声を基に、番組特定サーバ６へ問い合わせることで取得する。ここで、映像番組の特定方法として、映像もしくは音声から例えば指紋情報（Ｆｉｎｇｅｒ  Ｐｒｉｎｔ）などのデータを生成し、生成したデータを番組特定サーバ６に送信することで番組特定サーバ６に問い合わせる方法があるが、これに限定されるものでない。
【００３７】
番組情報取得部２２は、例えば取得部の一例であり、特定情報により特定される映像番組に関する番組情報であって、互いに内容の異なる第１の番組情報と、第２の番組情報とを含む番組情報を取得する。具体的には、番組情報取得部２２は、特定部２１により特定された特定情報（番組特定情報およびシーン情報）を用いて、番組特定サーバ６から、番組情報（コンテンツ）を受信する。
【００３８】
ここで、番組情報取得部２２は、テレビ３で映像番組を構成するＣＭのシーンが表示される前に、第２の番組情報を含む番組情報を取得して、取得した第２の番組情報を保持部２５に保持させるとしてもよい。
【００３９】
なお、映像番組は、ＣＭ以外のシーンとＣＭのシーンとで構成され、ＣＭ以外のシーンとは、映像番組を構成する本編のシーンである。第１の番組情報は、映像番組を構成するＣＭ以外のシーンの番組内容に関連する番組情報（通常コンテンツ）である。第２の番組情報は、テレビ３で映像番組を構成するＣＭのシーンが表示される間に表示部２４で表示される番組情報であって、映像番組を構成するＣＭ以外のシーン内容に関連する番組情報（特典コンテンツ）である。
【００４０】
より具体的には、通常コンテンツ（第１の番組情報）は、本編用の番組情報であり、例えば、映像番組がドラマ番組の場合、俳優の基本的な情報（名前、生年月日、性別）や、映像番組の本編（ドラマ）のあらすじなどである。一方、特典コンテンツ（第１の番組情報）は、ＣＭ中のための番組情報であり、例えば、映像番組がドラマ番組の場合、俳優の詳細な情報（俳優が身に着けている衣服、その他出演作品、俳優に関するニュース）や本編（ドラマ）のサイドストーリーなどである。また、別の例として、映像番組がスポーツ番組の場合、通常コンテンツ（第１の番組情報）は、打者の成績などであり、特典コンテンツ（第２の番組情報）は、ＣＭ中のベンチの情報や、選手交代の情報等である。なお、通常コンテンツ（第１の番組情報）、特典コンテンツ（第２の番組情報）は、上記例に限定されるものでない。
【００４１】
制御部２３は、携帯端末２全体を制御すると共に、番組情報の取得や表示などについて操作全体について制御する。そして、制御部２３は、特定部２１が取得した特定情報（番組特定情報及びシーン情報）を、番組情報取得部２２を介して番組情報提供サーバ１に送信する。制御部２３は、特定情報を用いて取得した番組情報を保持部２５に記録する。また、制御部２３は、取得した番組情報を表示部２４に表示するための制御を行なう。
【００４２】
具体的には、制御部２３は、特定情報によって特定される映像番組内のシーンが、ＣＭ（コマーシャルメッセージ）以外のシーンからＣＭのシーンに切り替わる場合、ＣＭ以外のシーンからＣＭのシーンへの切り替わりに応じて、表示部２４に表示させる番組情報を第１の番組情報から第２の番組情報に切り替える。
【００４３】
例えば、制御部２３は、特定情報によって特定される映像番組内のシーンが、ＣＭ以外のシーンからＣＭのシーンに切り替わる場合、ＣＭ以外のシーンからＣＭのシーンへの切り替わり直後に、表示部２４に表示させる番組情報を第１の番組情報から第２の番組情報に切り替えるとしてもよい。また、例えば、制御部２３は、特定情報によって特定される映像番組内のシーンが、ＣＭ以外のシーンからＣＭのシーンに切り替わる場合、ＣＭ以外のシーンからＣＭのシーンへの切り替わり直前に、表示部２４に表示させる前記番組情報を第１の番組情報から第２の番組情報に切り替えるとしてもよい。
【００４４】
また、制御部２３は、さらに、特定情報によって特定される映像番組内のシーンが、ＣＭのシーンからＣＭ以外のシーンに切り替わる場合、ＣＭのシーンからＣＭ以外のシーンへの切り替わりに応じて、表示部２４に表示させる番組情報を第２の番組情報から第１の番組情報に切り替える。ここで、上記同様に、制御部２３は、特定情報によって特定される映像番組内のシーンが、ＣＭのシーンからＣＭ以外のシーンに切り替わる場合、ＣＭのシーンからＣＭ以外のシーンへの切り替わり直後に、表示部２４に表示させる番組情報を第２の番組情報から前記第１の番組情報に切り替えるとしてもよい。また、制御部２３は、特定情報によって特定される映像番組内のシーンが、ＣＭのシーンからＣＭ以外のシーンに切り替わる場合、ＣＭのシーンからＣＭ以外のシーンへの切り替わり直前に、表示部２４に表示させる番組情報を第２の番組情報から前記第１の番組情報に切り替えるとしてもよい。
【００４５】
なお、制御部２３は、保持部２５にテレビ３で映像番組を構成するＣＭのシーンが表示される前に、第２の番組情報を含む番組情報（第２の番組情報）が保持されている場合、ＣＭ以外のシーンからＣＭのシーンへの切り替わりに応じて、表示部２４に表示させる番組情報を第１の番組情報から、保持部２５により保持されている第２の番組情報に切り替えるとしてもよい。
【００４６】
表示部２４は、例えば、番組情報取得部２２により取得された番組情報を表示する。また、表示部２４は、番組情報だけでなく、例えば表示対象となったシーン情報も表示する。
【００４７】
保持部２５は、少なくとも第２の番組情報を保持する。また、保持部２５は、取得したシーン情報や番組情報を保持するとしてもよい。
【００４８】
ここで、例えば、保持部２５は、テレビ３で映像番組を構成するＣＭのシーンが表示される前に、番組情報取得部２２により取得された第２の番組情報を含む番組情報（第２の番組情報）が保持される。
【００４９】
マイク２６は、テレビ３が表示する映像番組の映像とともに出力する音声を取得する。
【００５０】
カメラ２７は、テレビ３が表示する映像番組の映像を取得する。
【００５１】
なお、本実施の形態では、携帯端末２は、マイク２６と、カメラ２７と、の両方を備えるとして説明するが、これに限定されない。携帯端末２は、マイク２６、又は、カメラ２７の一方のみを備えるとしてもよい。つまり、マイク２６やカメラ２７は、テレビ３が表示する映像番組を特定するための特定情報（番組特定情報）を取得するためのデバイスの一例として例示されるものである。そのため、これら以外のデバイスを用いて、テレビ３が表示する映像番組を特定するための特定情報を取得できるものであれば、これらに限定されるものではない。
【００５２】
また、以上のように構成される携帯端末２は、例えば図４に示すハードウェアにより実現される。すなわち、携帯端末２は、例えば図４に示すように、ＣＰＵ２０１と、メモリ２０２と、ネットワークインターフェース２０３と、ディスプレイ２０４と、マイク２６と、カメラ２７と、を備えるハードウェア構成により実現される。
【００５３】
ＣＰＵ２０１は、携帯端末２全体を制御する。具体的に制御する部分は、ＣＰＵ２０１上で動作するソフトウェアプログラム等により実現される。なお、ＣＰＵ２０１は、図３に示す特定部２１の一部、番組情報取得部２２の一部、制御部２３等に該当する。
【００５４】
メモリ２０２は、データを記録する。メモリ２０２には、上記のＣＰＵ２０１上で動作するソフトウェアプログラムや、ソフトウェアプログラム動作時の一時変数、あるいは、番組特定サーバ６から取得したシーン情報、番組情報提供サーバ１から取得した番組情報（コンテンツ）等を記録する。なお、メモリ２０２は、図３に示す保持部２５等に該当する。
【００５５】
ネットワークインターフェース２０３は、ネットワーク接続された外部機器とデータを送受信する。なお、外部機器とのデータ送受信を行う際の接続形態は無線接続、有線接続等が考えられるがこれに限定するものでない。なお、ネットワークインターフェース２０３は、図３に示す特定部２１の一部、番組情報取得部２２の一部、等に該当する。
【００５６】
ディスプレイ２０４は、取得した番組情報（コンテンツ）等を表示する表示装置である。ディスプレイ２０４は、図３に示す表示部２４に該当する。
【００５７】
マイク２６は、上述したように、テレビ３からの音声を取得する装置である。
【００５８】
カメラ２７は、テレビ３が表示する映像を撮像する。カメラ２７は、図３に示すカメラ２７に該当する。
【００５９】
テレビ３は、映像表示装置の一例であり、携帯端末２の利用者（ユーザ）が、映像番組を視聴するための装置である。
【００６０】
テレビ３の視聴者は、例えば図１に示す放送局５から配信される映像番組をテレビ３で視聴する。その際、テレビ３を視聴時に視聴者の側に置いてある携帯端末２が、テレビ３から出力される音声を取得する。この音声に基づいて、携帯端末２は、番組特定サーバ６から視聴中の映像番組を特定する特定情報（番組特定情報）や視聴中の映像番組内でのシーンを特定する特定情報（シーン情報）を取得することができる。そのため、携帯端末２は、当該特定情報に基づいて、番組情報を取得して表示することができる。これにより、視聴者は、テレビ３が表示する映像番組内で関心のある内容について、携帯端末２でより詳細に番組情報を取得することができる。
【００６１】
テレビ３は、図５に示すように、チューナ部３１と、音声出力部３２と、表示部３３と、を備える。
【００６２】
チューナ部３１は、放送局５から配信される映像番組を受信、復調して音声出力部３２で音声を出力、ならびに表示部３３で映像を表示できるように変換する。
【００６３】
音声出力部３２は、チューナ部３１で復調された音声を出力する。
【００６４】
表示部３３は、チューナ部３１で復調された映像番組を表示する。
【００６５】
以上のように構成された番組関連情報提供システムでは、映像番組がＣＭ以外のシーン（本編のシーン）からＣＭのシーンに切り替わった場合、切り替わり時に特典コンテンツ（第２の番組情報）が携帯端末２の表示部２４に表示させることができる。それにより、映像番組がＣＭ以外のシーン（本編のシーン）からＣＭのシーンに切り替わった場合でも、視聴者にＣＭを表示（視聴）させ続けることができる。
【００６６】
［１−２．動作］
以上のように構成された番組関連情報提供システムについて、以下、それぞれの動作について詳細に説明する。
【００６７】
図６は、実施の形態１に係る番組関連情報提供システムを構成する番組情報提供サーバ１と、携帯端末２と、番組特定サーバ６との間の処理の流れを示すシーケンス図である。
【００６８】
まず、携帯端末２（特定部２１）は、番組特定サーバ６へ視聴中の映像番組を特定する特定情報（番組特定情報）の要求を行う（Ｓ１０１）。具体的には、携帯端末２は、マイク２６もしくはカメラ２７で取得した映像番組の音声もしくは映像のデータを送信する。
【００６９】
次に、番組特定サーバ６（制御部６１）は、取得したデータと番組位置データベース６３が保存するデータを照合し、視聴中の映像番組を特定（映像番組を特定する番組特定情報を取得）する。そして、番組特定サーバ６（送信部６２）は、取得した番組特定情報を携帯端末２へ送信する（Ｓ１０２）。
【００７０】
次に、携帯端末２（制御部２３）は、番組特定サーバ６に対して、視聴中の映像番組内のシーンを特定する特定情報（シーン情報）の要求を行う（Ｓ１０３）。ここで、携帯端末２（制御部２３）は、放送局、及びその表示日時等を含むデータを送信することでシーン情報の要求を行う。また、携帯端末２（制御部２３）は、その要求を行う際に、Ｓ１０２で取得した番組特定情報を同時に送信する。
【００７１】
次に、番組特定サーバ６（制御部６１）は、例えば、受信した映像番組の放送局及びその表示日時等を含むデータに基づいて、番組位置データベース６３から、対応する映像番組内のシーンを特定するシーン情報を検索して取得する。そして、番組特定サーバ６（送信部１２）は、取得した番組シーン情報を携帯端末２へ送信する（Ｓ１０４）。
【００７２】
以下、ユーザが現在視聴中の映像番組内でのシーンは本編のシーンであるとして説明する。
【００７３】
次に、携帯端末２（番組情報取得部２２）は、番組情報提供サーバ１に、特定部２１により特定された特定情報（番組特定情報およびシーン情報）を用いて、通常コンテンツ（第１の番組情報）の取得要求を行う（Ｓ１０５）。ここで、携帯端末２（番組情報取得部２２）は、取得要求を行う際、番組特定情報を同時に送信する。
【００７４】
次に、番組情報提供サーバ１（制御部１１）は、受信した番組特定情報に含まれる映像番組を配信する放送局、及びその表示日時に基づいて、番組情報データベース１３から対応する映像番組の本編に対応する通常コンテンツ（第１の番組情報）を検索して取得する。そして、番組情報提供サーバ１（送信部１２）は、取得した通常コンテンツ（第１の番組情報）を携帯端末２へ送信する（Ｓ１０６）。
【００７５】
次に、携帯端末２（番組情報取得部２２）は、番組情報提供サーバ１へＣＭ時に表示するための特典コンテンツ（第２の番組情報）の取得要求を行う（Ｓ１０７）。ここで、携帯端末２（番組情報取得部２２）は、取得要求を行う際、番組特定情報を同時に送信する。
【００７６】
次に、番組情報提供サーバ１（制御部１１）は、受信した番組特定情報に含まれる映像番組を配信する放送局、及びその表示日時に基づいて、番組情報データベース１３から映像番組のＣＭ時に対応する特典コンテンツ（第２の番組情報）を検索して取得する。そして、番組情報提供サーバ１（送信部１２）は、取得した特典コンテンツ（第２の番組情報）を携帯端末２へ送信する（Ｓ１０８）。
【００７７】
そして、携帯端末２（表示部２４）は、取得した番組情報（通常コンテンツや特典コンテンツ）を、テレビ３が表示する映像番組内のシーン（本編のシーンまたはＣＭのシーン）に応じて、表示する。
【００７８】
次に、携帯端末２における動作について説明する。
【００７９】
図７は、実施の形態１に係る携帯端末２の動作を説明するためのフローチャートである。図８は、ユーザが視聴中の映像番組内でのシーンの切り替わりと、表示する番組情報の切り替わりのタイミング例を示す図である。
【００８０】
まず、特定部２１は、制御部２３の指示により、マイク２６やカメラ２７を介してテレビ３から出力される音声もしくは映像を取得する。次いで、特定部２１は、番組特定サーバ６から、ユーザが現在視聴中の映像番組とその映像番組内でのシーンとを特定する特定情報（番組特定情報およびシーン情報）を取得する（Ｓ２０１）。具体的には、特定部２１は、番組特定サーバ６へ、マイク２６もしくはカメラ２７で取得した映像番組の音声もしくは映像のデータを送信する。そして、特定部２１は、番組特定サーバ６からの応答として、特定情報（番組特定情報およびシーン情報）を受信する。なお、特定部２１が特定情報を取得する処理は、Ｓ１０１〜Ｓ１０４で説明した通りであるので、詳細な説明は省略する。
【００８１】
次に、制御部２３は、取得したシーン情報から、テレビ３に表示されている映像番組内のシーンが本編のシーンかＣＭのシーンかを判定する（Ｓ２０２）。
【００８２】
ここで、例えば、シーン情報には、映像番組の本編、または、映像番組のコマーシャルメッセージ（ＣＭ）を識別するシーンタイプ等が含まれているとする。図８に示す場合では、シーン情報は、映像番組の本編１もしくは本編２であることを示すシーンタイプ、または、本編１と本編２との間に挿入されているＣＭであることを示すシーンタイプが含まれる。それにより、制御部２３は、取得したシーン情報から、テレビ３に表示されている映像番組内のシーンが本編のシーンかＣＭのシーンかを判定することができる。
【００８３】
次に、テレビ３に表示されている映像番組内のシーンが本編（例えば、本編１）であると判定した場合（Ｓ２０２で本編）、制御部２３は、番組情報取得部２２に、映像番組の本編１中に通常コンテンツ（第１の番組情報）を取得させる。そして、制御部２３は、取得した通常コンテンツ（第１の番組情報）を表示部２４に表示させる（Ｓ２０３）。なお、携帯端末２が通常コンテンツ（第１の番組情報）を取得する処理は、Ｓ１０５およびＳ１０６で説明した通りであるので、詳細な説明は省略する。
【００８４】
次に、テレビ３に表示されている映像番組内のシーンが本編（例えば、本編１）である間に、制御部２３は、映像番組のＣＭ時（図８で、本編１と本編２の間に挿入されたＣＭ１）に表示部２４で表示するための特典コンテンツ（第２の番組情報）を番組情報取得部２２に取得させる。そして、制御部２３は、番組情報取得部２２に、取得した特典コンテンツ（第２の番組情報）を保持部２５に格納（保持）させる（Ｓ２０４）。なお、携帯端末２が特典コンテンツ（第２の番組情報）を取得する処理は、Ｓ１０７およびＳ１０８で説明した通りであるので、詳細な説明は省略する。
【００８５】
一方、Ｓ２０２において、テレビ３に表示されている映像番組内のシーンがＣＭ（例えば、図８のＣＭ１）の場合、制御部２３は、表示部２４に保持部２５に保持されている特典コンテンツ）（第２の番組情報）を表示させる（Ｓ２０５）。
【００８６】
なお、テレビ３に表示されている映像番組内のシーンが本編である場合には、Ｓ２０１〜Ｓ２０４の処理が繰り返され、テレビ３に表示されている映像番組内のシーンがＣＭである場合には、Ｓ２０１〜Ｓ２０５の処理が繰り返される。
【００８７】
このようにして、通常コンテンツ（第１の番組情報）は、特定された番組シーンが本編である場合に携帯端末２の表示部２４に表示される。一方、特典コンテンツ（第２の番組情報）は、特定された番組シーンがＣＭである場合にのみ携帯端末２の表示部２４に表示される。
【００８８】
［１−３．効果等］
以上のように、本実施の形態の番組情報表示装置（携帯端末２）は、映像表示装置（テレビ３）により表示されている、映像番組と映像番組内でのシーンとを特定する特定情報（番組特定情報およびシーン情報）を取得する特定部（特定部２１）と、特定情報（番組特定情報およびシーン情報）により特定される映像番組に関する番組情報であって、互いに内容の異なる第１の番組情報（通常コンテンツ）と、第２の番組情報（特典コンテンツ）とを含む番組情報を取得する取得部（番組情報取得部２２）と、取得部（番組情報取得部２２）により取得された番組情報（コンテンツ）を表示する表示部（表示部２４）と、特定情報（番組特定情報およびシーン情報）によって特定される映像番組内のシーンが、ＣＭ以外（本編）のシーンからＣＭのシーンに切り替わる場合、ＣＭ以外（本編）のシーンからＣＭのシーンへの切り替わりに応じて、表示部（表示部２４）に表示させる番組情報（コンテンツ）を第１の番組情報（通常コンテンツ）から第２の番組情報（特典コンテンツ）に切り替える制御部（制御部２３）とを備える。
【００８９】
この構成により、映像番組がＣＭ以外（本編）のシーンからＣＭのシーンに切り替わった場合でも、視聴者にＣＭを表示させ続けることができる。
【００９０】
ここで、制御部（制御部２３）は、特定情報（番組特定情報およびシーン情報）によって特定される映像番組内のシーンが、ＣＭ以外（本編）のシーンからＣＭのシーンに切り替わる場合、ＣＭ以外（本編）のシーンからＣＭのシーンへの切り替わり直後に、表示部（表示部２４）に表示させる番組情報（コンテンツ）を第１の番組情報（通常コンテンツ）から第２の番組情報（特典コンテンツ）に切り替えるとしてもよい。
【００９１】
また、制御部（制御部２３）は、特定情報（番組特定情報およびシーン情報）によって特定される映像番組内のシーンが、ＣＭ以外（本編）のシーンからＣＭのシーンに切り替わる場合、ＣＭ以外（本編）のシーンからＣＭのシーンへの切り替わり直前に、表示部（表示部２４）に表示させる番組情報（コンテンツ）を第１の番組情報（通常コンテンツ）から第２の番組情報（特典コンテンツ）に切り替えるとしてもよい。
【００９２】
また、制御部（制御部２３）は、さらに、特定情報（番組特定情報およびシーン情報）によって特定される映像番組内のシーンが、ＣＭのシーンからＣＭ以外（本編）のシーンに切り替わる場合、ＣＭのシーンからＣＭ以外（本編）のシーンへの切り替わりに応じて、表示部（表示部２４）に表示させる番組情報（コンテンツ）を第２の番組情報（特典コンテンツ）から第１の番組情報（通常コンテンツ）に切り替えるとしてもよい。
【００９３】
ここで、制御部（制御部２３）は、特定情報（番組特定情報およびシーン情報）によって特定される映像番組内のシーンが、ＣＭのシーンからＣＭ以外（本編）のシーンに切り替わる場合、ＣＭのシーンからＣＭ以外（本編）のシーンへの切り替わり直後に、表示部（表示部２４）に表示させる番組情報（コンテンツ）を第２の番組情報（特典コンテンツ）から第１の番組情報（通常コンテンツ）に切り替えるとしてもよい。
【００９４】
また、制御部（制御部２３）は、特定情報（番組特定情報およびシーン情報）によって特定される映像番組内のシーンが、ＣＭのシーンからＣＭ以外（本編）のシーンに切り替わる場合、ＣＭのシーンからＣＭ以外（本編）のシーンへの切り替わり直前に、表示部（表示部２４）に表示させる番組情報（コンテンツ）を第２の番組情報（特典コンテンツ）から第１の番組情報（通常コンテンツ）に切り替えるとしてもよい。
【００９５】
これにより、番組情報表示装置の視聴者は、映像表示装置が表示する映像番組のシーンに応じて（本編のシーンまたはＣＭのシーン）、好適な番組情報を、表示することができる。例えば、番組情報表示装置が映像番組の本編のシーンを表示している場合には、番組情報表示装置は、本編のシーンに対応する番組情報（第１の番組情報）を表示するとともに、番組情報表示装置が映像番組のＣＭのシーンを表示する場合に番組情報表示装置の表示部で表示すべき番組情報（第２の番組情報）を取得する。そして、番組情報表示装置が映像番組のＣＭのシーンをした場合には、番組情報表示装置は、ＣＭのシーンに対応する番組情報を表示する（第２の番組情報）。
【００９６】
このように、視聴者は、映像番組がＣＭ中となった場合でも、番組情報表示装置でその映像番組に対応する番組情報（第２の番組情報）を視聴することができる。それにより、視聴者は映像番組の本編と関係のないＣＭが表示されている場合でも、映像番組と関連する番組情報を視聴する動機付けを与えられるので、視聴者にＣＭを表示させ続けることができる。
【００９７】
また、本実施の形態の番組情報表示装置（携帯端末２）は、さらに、少なくとも第２の番組情報（特典コンテンツ）を保持する保持部（保持部２５）を備え、取得部（番組情報取得部２２）は、映像表示装置（テレビ３）で映像番組を構成するＣＭのシーンが表示される前に、第２の番組情報（特典コンテンツ）を含む番組情報（コンテンツ）を取得して、取得した第２の番組情報（特典コンテンツ）を保持部（保持部２５）に保持させる。そして、制御部（制御部２３）は、ＣＭ以外（本編）のシーンからＣＭのシーンへの切り替わりに応じて、表示部(表示部２４)に表示させる番組情報を第１の番組情報（通常コンテンツ）から保持部（保持部２５）により保持されている第２の番組情報（特典コンテンツ）に切り替えるとしてもよい。
【００９８】
それにより、映像番組のＣＭ以外（本編）のシーンからＣＭのシーンへの切り替わりに応じて、番組情報を切り替えることができる。
【００９９】
なお、本実施の形態では、映像番組の特定方法として、携帯端末２が取得した映像もしくは音声データを元に番組特定サーバ６へ問い合わせる手法を用いたが、それに限らない。例えば、放送局５が放送する映像番組の映像もしくは音声に情報を埋め込む手法、例えばウォーターマーク技術を用いることで映像番組を特定するとしてもよい。
【０１００】
また、本実施の形態では、特定情報（番組特定情報およびシーン情報）を、番組特定サーバ６へ問い合わせるとして説明したが、それに限られない。特定情報のうち、番組特定情報のみを番組特定サーバ６に問い合わせ、シーン情報を番組情報提供サーバ１に問い合わせるとしてもよい。
【０１０１】
また、特典コンテンツ（第２の番組情報）を番組特定サーバ６から取得する際に、取得ＵＲＬをシーン情報に格納することも考えられる。その場合、ＣＭ前の本編を見た視聴者にのみ特典コンテンツ（第２の番組情報）を取得できる状況を作り出すことができる。
【０１０２】
また、本実施の形態では、本編中に特典コンテンツ（第２の番組情報）を取得し、携帯端末２内の保持部２５に保持する構成について説明したが、それに限らない。例えば、本編視聴中は特典コンテンツ（第２の番組情報）の取得ＵＲＬ等を保持部２５に保持するとし、番組シーンがＣＭに切り替わったタイミングで特典コンテンツ（第２の番組情報）を保持部２５から取得して表示するとしてもよい。また、例えば、番組シーンがＣＭに切り替わった後（ＣＭ中に）、特典コンテンツ（第２の番組情報）を取得して、表示するとしてもよい。
【０１０３】
また、本実施の形態では、図６のＳ１０５、１０６及びＳ１０７とＳ１０８とにおいて、別の処理で本編用の通常コンテンツ（第１の番組情報）とＣＭ用の特典コンテンツ（第２の番組情報）とをそれぞれ取得する場合の例について説明したが、これに限られない。例えば、通常コンテンツ（第１の番組情報）と特典コンテンツ（第２の番組情報）を同じステップで取得するとしてもよい。その場合には、携帯端末２と番組情報提供サーバ１との間の通信量あるいは通信回数を抑制することが可能となる効果を奏する。
【０１０４】
（実施の形態２）
以下、図９〜図１２を用いて、実施の形態１で説明した番組関連情報提供システムと異なる例を、実施の形態２として説明する。
【０１０５】
［２−１．構成］
図９は、実施の形態２に係る番組関連情報提供システムの構成例を示す図である。図１０は、実施の形態２に係る携帯端末の構成を示すブロック図である。図１１は、実施の形態２に係る録画機能付きテレビの構成を示すブロック図である。
【０１０６】
本実施の形態の番組関連情報提供システム（図９）と、本実施の形態１で説明した番組関連情報提供システム（図１）との相違点は、以下の２つである。すなわち、（１）視聴する映像番組が録画機能付きテレビ８で録画した映像番組であることと、（２）利用者（ユーザ）が録画機能付きテレビ８に対してＣＭスキップ操作を行った場合の携帯端末７の動作である。それ以外の点については、実施の形態１と同じであるので説明を省略する。
【０１０７】
ここで、ＣＭスキップ操作とは、録画した映像番組の再生中に、ＣＭ部分を早送りまたはスキップする操作のことをいう。
【０１０８】
なお、図９に示す番組関連情報提供システムは、図１に示す番組関連情報提供システムも対してテレビ３に代わり録画機能付きテレビ８と、携帯端末２に代わり携帯端末７とを備えている点が構成上異なる。
【０１０９】
携帯端末７は、番組情報表示装置の一例であり、特定部２１と、番組情報取得部２２と、表示部２４と、保持部２５と、マイク２６と、カメラ２７と、制御部７７と、を備える。
【０１１０】
特定部２１と番組情報取得部２２と、表示部２４と、保持部２５と、マイク２６と、カメラ２７と、は実施の形態１と同じであるので説明を省略する。
【０１１１】
制御部７７は、携帯端末２全体を制御すると共に、番組情報の取得、表示などについて情報の操作全体について制御する。具体的には、制御部７７は、実施の形態１の制御部２３の機能はすべて備えている。さらに、制御部７７は、利用者（ユーザ）が録画機能付きテレビ８で再生する映像番組中のＣＭをスキップする等、ＣＭを見ない操作を検出した場合に、番組情報の表示を制御する。
【０１１２】
より具体的には、制御部７７は、録画機能付きテレビ８でＣＭのシーンの表示がスキップされたか否かを検出する。そして、制御部７７は、録画機能付きテレビ８でＣＭのシーンの表示がスキップされたことを検出した場合、表示部２４に表示させる番組情報を第２の番組情報（特典コンテンツ）に切り替えずに第１の番組情報（通常コンテンツ）のままとする。
【０１１３】
例えば、制御部７７は、ＣＭのシーンの表示がスキップされた場合（録画機能付きテレビ８でＣＭのシーンの表示がスキップされたことを検出した場合）、保持部２５に保持されている第２の番組情報を破棄し、表示部２４に表示させる番組情報を第２の番組情報（特典コンテンツ）に切り替えずに第１の番組情報（通常コンテンツ）のままとする。
【０１１４】
録画機能付きテレビ８は、映像表示装置の一例であり、チューナ部３１と、音声出力部３２と、表示部３３と、ＨＤＤ８４と、を備える。
【０１１５】
チューナ部３１と、音声出力部３２と、表示部３３とは、実施の形態１のテレビ３のそれぞれの構成と同じであるので説明を省略する。
【０１１６】
ＨＤＤ８４は、チューナ部３１で事前に取得した映像番組を保持（記録）する蓄積媒体である。ＨＤＤ８４は、録画機能付きテレビ８の視聴者（ユーザ）の指示等に従って、保持している映像番組の情報を、出力する。出力された映像番組の情報は、必要に応じて復号等の処理が施され、表示部３３や音声出力部３２から出力される。
【０１１７】
以上のように図９に示す番組関連情報提供システムは構成されている。
【０１１８】
［２−２．動作］
次に、本実施の形態における携帯端末７の動作について説明する。
【０１１９】
図１２は、実施の形態２に係る携帯端末７の動作を説明するためのフローチャートである。
【０１２０】
なお、Ｓ３０３およびＳ３０４を除く処理については、実施の形態１で説明した通りであるので説明を省略する。具体的には、Ｓ３０１および図７のＳ２０１、Ｓ３０２および図７のＳ２０２、Ｓ３０５および図７のＳ２０３、Ｓ３０６と図７のＳ２０４、ならびに、Ｓ３０７および図７のＳ２０５、は実施の形態１と同じ処理であるためこれらの処理については説明を省略する。
【０１２１】
Ｓ３０２で本編の場合、すなわち制御部７７により録画機能付きテレビ８に表示されている映像番組内のシーンが本編（例えば、本編１）であると判定された場合、制御部７７は、録画機能付きテレビ８でＣＭのシーンの表示がスキップされたか否かを検出する（Ｓ３０３）。これは、ユーザが、録画機能付きテレビ８で録画した映像番組の本編を視聴していると、その後、番組シーンが本編からＣＭに切り替わるときがある。そのとき、利用者は、リモコン操作等によりＣＭスキップを行う場合があるからである。そのため、録画機能付きテレビ８に表示されている映像番組内のシーンが本編（例えば、本編１）であると判定後に、制御部７７により、ＣＭスキップが行なわれた否かが判定される。
【０１２２】
以下、ＣＭスキップの判定方法について具体的に説明する。
【０１２３】
ここで、シーン情報には、例えば本編のシーンであることを示す本編シーン情報、ＣＭのシーンであることを示すＣＭシーン情報、及び、シーン識別子（ＩＤ）と、が含まれているとする。また、本編シーン情報とＣＭシーン情報とは排他的に有効となる情報であり、シーン情報は、映像番組を構成する本編とそれに続くＣＭでは同一のシーン識別子を有するとする。
【０１２４】
この場合、制御部７７は、本編シーン情報とシーン識別子（ＩＤ）とを用いて、映像番組内でのシーンが本編のシーンであることを特定することができる。同様に、制御部７７は、ＣＭシーン情報とシーン識別子（ＩＤ）とで、映像番組内でのシーンがＣＭのシーンであることを特定できる。また、制御部７７は、シーン情報が本編とそれに続くＣＭと同一のシーン識別子を有する場合でも、本編のシーンとＣＭのシーンとは本編シーン情報とＣＭシーン情報とで区別できる。
【０１２５】
したがって、制御部７７は、取得した現在の映像番組のシーン情報を有するシーンＩＤと、直前に取得したシーン情報のシーンＩＤとが合致するかどうかと、ＣＭシーン情報を取得した（ＣＭのシーンを経由した）かどうかを確認することで、ＣＭスキップを判定できる。具体的には、制御部７７は、現在のシーンＩＤと直前のシーンＩＤとが合致していること、かつ、ＣＭシーン情報を取得したことを確認した場合には、ＣＭ後に新たな本編が再生されていると判定できる。また、制御部７７は、現在のシーンＩＤと直前のシーンＩＤが合致していないこと、かつ、ＣＭシーン情報を取得していないことを確認した場合には、本編のシーン後のＣＭのシーンをスキップ（視聴していない）したと判定することができる。
【０１２６】
Ｓ３０３において、ＣＭスキップが行われたと判定された場合（Ｓ３０３でＹＥＳ）、制御部７７は、それまで保持部２５に保持していた特典コンテンツ（第２の番組情報）を破棄する（Ｓ３０４）。
【０１２７】
一方、Ｓ３０３において、ＣＭスキップが行われたと判定されない場合（Ｓ３０３でＮｏ）、携帯端末７は、Ｓ３０５の処理に進む。
【０１２８】
このようにして、録画機能付きテレビ８でＣＭスキップを行った場合、携帯端末７は、ＣＭ直前の本編に対する特典コンテンツ（第２の番組情報）を破棄するので、視聴者は携帯端末７で特典コンテンツ（第２の番組情報）を視聴できなくなる。
【０１２９】
つまり、録画機能付きテレビ８でＣＭスキップを行った場合、携帯端末７は、ＣＭ直前の本編に対する特典コンテンツ（第２の番組情報）を破棄するので、携帯端末７の視聴者が、録画機能付きテレビ８でＣＭを視聴する場合のみ特典コンテンツ（第２の番組情報）を閲覧できる状況を作り出すことが可能となる。
【０１３０】
それにより、映像番組がＣＭ以外（本編）のシーンからＣＭのシーンに切り替わった場合でも、視聴者にＣＭを表示させ続けることができる。
【０１３１】
［２−３．効果等］
以上のように、本実施の形態の番組情報表示装置（携帯端末２）では、制御部（制御部２３）は、さらに、映像表示装置（録画機能付きテレビ８）でＣＭのシーンの表示がスキップされたか否かを検出する。制御部（制御部２３）は、映像表示装置（録画機能付きテレビ８）でＣＭのシーンの表示がスキップされたことを検出した場合、表示部（表示部２４）に表示させる番組情報（コンテンツ）を第２の番組情報（特典コンテンツ）に切り替えずに第１の番組情報（通常コンテンツ）のままとする。
【０１３２】
ここで、制御部（制御部２３）は、映像表示装置（録画機能付きテレビ８）でＣＭのシーンの表示がスキップされた場合、保持部（保持部２５）に保持されている第２の番組情報（特典コンテンツ）を破棄し、表示部（表示部２４）に表示させる番組情報（コンテンツ）を第２の番組情報（特典コンテンツ）に切り替えずに第１の番組情報（通常コンテンツ）のままとする。
【０１３３】
換言すると、番組情報表示装置（携帯端末７）は、映像番組のシーンに対応した番組情報を取得する。そして、映像表示装置（録画機能付きテレビ８）で映像番組内でのＣＭのシーンがスキップや早送り等で通常に表示されなかった場合、スキップ等されたＣＭのシーンに対応する第２の番組情報（特典コンテンツ）を、番組情報表示装置（携帯端末７）は表示しない。つまり、番組情報表示装置（携帯端末７）は、映像表示装置（録画機能付きテレビ８）がＣＭのシーンを通常再生する場合のみ第２の番組情報（特典コンテンツ）を表示する。番組情報表示装置（携帯端末７）は、視聴者がＣＭをスキップ等した場合、本来ＣＭ中に表示する予定で取得していた第２の番組情報（特典コンテンツ）を破棄する。
【０１３４】
これにより、視聴者がＣＭのシーンを見ない場合には、ＣＭのシーンを見た人のみに提供する第２の番組情報（特典コンテンツ）の提供を抑制することができる。それにより、視聴者にＣＭのシーンの視聴を促すことができるので、番組情報提供者若しくは映像番組内のＣＭのシーンの提供者が、ＣＭのシーンを視聴者に視聴して貰うという目的を実現することができる効果を奏する。
【０１３５】
なお、本実施の形態では録画した映像番組の視聴時の操作について説明したが、それに限らない。リアルタイム放送時でも、同様に適用できる。その場合、例えば、番組情報表示装置（携帯端末７）は、利用者がＣＭを視聴しない状況（例えば番組シーンがＣＭとなった直後に他チャンネルに切り替え、ＣＭ後の本編が始まったときに再度チャンネルを切り替える等）でシーンＩＤが離散的に変化したことを確認した場合、第２の番組情報（特典コンテンツ）を破棄するとすればよい。
【０１３６】
（その他の実施の形態）
以上のように、本出願において開示する技術の例示として、実施の形態１および２を説明した。しかしながら、本開示における技術は、これに限定されず、適宜、変更、置き換え、付加、省略などを行った実施の形態にも適用可能である。また、上記実施の形態１および２で説明した各構成要素を組み合わせて、新たな実施の形態とすることも可能である。
【０１３７】
以下のような場合も本開示に含まれる。
【０１３８】
例えば実施の形態２では、ＣＭをスキップした場合に第２の番組情報（特典コンテンツ）を表示しないことについて説明したがそれに限られない。ＣＭをスキップしない場合でも、本編を一定時間視聴していないならば、第２の番組情報（特典コンテンツ）を表示しないとしてもよい。具体的には、制御部は、さらに、映像表示装置でＣＭ以外のシーンの表示が所定時間以上されたか否かを検出するとし、制御部は、映像表示装置によりＣＭ以外のシーンの表示が所定時間以上されていないことを検出した場合、特定情報によって特定される映像番組内のシーンが、ＣＭ以外のシーンからＣＭのシーンに切り替わるときでも、表示部に表示させる番組情報を第２の番組情報に切り替えずに第１の番組情報のままとするとしてもよい。
【０１３９】
また、実施の形態１及び実施の形態２では、テレビや録画機能付きテレビなどの映像表示装置と番組情報表示装置とは独立して実現する場合を例に説明したがこれに限定されるものではない。例えば、図１におけるテレビ３（映像表示装置）と、携帯端末２（番組情報表示装置）とが一体となった番組情報表示装置として実現するとしてもよい。
【０１４０】
この場合、具体的には、番組情報表示装置は、映像番組と前記映像番組内でのシーンとを特定する特定情報を取得する特定部と、前記特定情報により特定される前記映像番組に関する番組情報であって、互いに内容の異なる第１の番組情報と、第２の番組情報とを含む番組情報を取得する取得部と、前記映像番組と、前記取得部により取得された前記番組情報とを表示する表示部と、前記特定情報によって特定される前記映像番組内のシーンが、ＣＭ（コマーシャルメッセージ）以外のシーンから前記ＣＭのシーンに切り替わる場合、前記ＣＭ以外のシーンから前記ＣＭのシーンへの切り替わりに応じて、前記表示部に表示させる前記番組情報を前記第１の番組情報から前記第２の番組情報に切り替える制御部と、を備える。
【０１４１】
また、携帯端末２（番組情報表示装置）から表示部を削除し、番組情報はテレビ３（映像表示装置）や他の表示装置等に出力する番組情報出力装置として実現することも可能である。
【０１４２】
この場合、具体的には、番組情報出力装置は、映像表示装置により表示されている映像番組と前記映像番組内でのシーンとを特定する特定情報を取得する特定部と、前記特定情報により特定される前記映像番組に関する番組情報であって、互いに内容の異なる第１の番組情報と、第２の番組情報とを含む番組情報を取得する取得部と、前記取得部により取得された前記番組情報を出力する出力部と、前記特定情報によって特定される前記映像番組内のシーンが、ＣＭ（コマーシャルメッセージ）以外のシーンから前記ＣＭのシーンに切り替わる場合、前記ＣＭ以外のシーンから前記ＣＭのシーンへの切り替わりに応じて、前記出力部が出力する前記番組情報を前記第１の番組情報から前記第２の番組情報に切り替える制御部と、を備える。
【０１４３】
また、図１０に示す携帯端末７（番組情報表示装置）が録画機能付きテレビ（映像表示装置）の録画機能を備えた番組情報出力装置であってもよい。この場合、出力される番組情報や映像番組の映像は、別の表示機器（テレビ）等で視聴することができる。
【０１４４】
この場合、具体的には、番組情報出力装置は、映像番組と前記映像番組内でのシーンとを特定する特定情報を取得する特定部と、前記特定情報により特定される前記映像番組に関する番組情報であって、互いに内容の異なる第１の番組情報と、第２の番組情報とを含む番組情報を取得する取得部と、前記映像番組と、前記番組情報とを保持する保持部と、前記保持部に保持された前記映像番組を再生する再生部と、前記再生部により再生されている前記映像番組であって前記取得部により取得された前記特定情報により特定される前記映像番組の前記番組情報を出力する出力部と、前記再生部により再生されている前記映像番組内のシーンが、ＣＭ（コマーシャルメッセージ）以外のシーンから前記ＣＭのシーンに切り替わる場合、前記ＣＭ以外のシーンから前記ＣＭのシーンへの切り替わりに応じて、前記出力部が出力する前記番組情報を前記第１の番組情報から前記第２の番組情報に切り替える制御部と、を備える。
【０１４５】
また、以下のような場合も本開示に含まれる。
【０１４６】
（１）上記の各装置は、具体的には、マイクロプロセッサ、ＲＯＭ、ＲＡＭ、ハードディスクユニット、ディスプレイユニット、キーボード、マウスなどから構成されるコンピュータシステムで実現され得る。ＲＡＭまたはハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０１４７】
（２）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＯＭには、コンピュータプログラムが記憶されている。マイクロプロセッサが、ＲＯＭからＲＡＭにコンピュータプログラムをロードし、ロードしたコンピュータプログラムにしたがって演算等の動作することにより、システムＬＳＩは、その機能を達成する。
【０１４８】
（３）上記の各装置を構成する構成要素の一部または全部は、各装置に脱着可能なＩＣカードまたは単体のモジュールから構成されてもよい。ＩＣカードまたはモジュールは、マイクロプロセッサ、ＲＯＭ、ＲＡＭなどから構成されるコンピュータシステムである。ＩＣカードまたはモジュールには、上記の超多機能ＬＳＩが含まれてもよい。マイクロプロセッサが、コンピュータプログラムにしたがって動作することにより、ＩＣカードまたはモジュールは、その機能を達成する。このＩＣカードまたはこのモジュールは、耐タンパ性を有してもよい。
【０１４９】
（４）本開示は、上記に示す方法で実現されてもよい。また、これらの方法をコンピュータにより実現するコンピュータプログラムで実現してもよいし、コンピュータプログラムからなるデジタル信号で実現してもよい。
【０１５０】
例えば、上記各実施の形態の番組情報表示装置などを実現するソフトウェアは、次のようなプログラムである。
【０１５１】
すなわち、このプログラムは、コンピュータに、映像表示装置により表示されている映像番組と前記映像番組内でのシーンとを特定する特定情報を取得する特定ステップと、前記特定情報により特定される前記映像番組に関する番組情報であって、互いに内容の異なる第１の番組情報と、第２の番組情報とを含む番組情報を取得する取得ステップと、前記取得ステップにおいて取得された前記番組情報を表示部に表示する表示ステップと、  前記特定情報によって特定される前記映像番組内のシーンが、ＣＭ（コマーシャルメッセージ）以外のシーンから前記ＣＭのシーンに切り替わる場合、前記ＣＭ以外のシーンから前記ＣＭのシーンへの切り替わりに応じて、前記表示ステップで前記表示部に表示させる前記番組情報を前記第１の番組情報から前記第２の番組情報に切り替える切替ステップとを実行させる。
【０１５２】
また、本開示は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したもので実現してもよい。また、これらの記録媒体に記録されているデジタル信号で実現してもよい。
【０１５３】
また、本開示は、コンピュータプログラムまたはデジタル信号を、電気通信回線、無線または有線通信回線、インターネットを代表とするネットワーク、データ放送等を経由して伝送してもよい。
【０１５４】
また、本開示は、マイクロプロセッサとメモリを備えたコンピュータシステムであって、メモリは、コンピュータプログラムを記憶しており、マイクロプロセッサは、コンピュータプログラムにしたがって動作してもよい。
【０１５５】
また、プログラムまたはデジタル信号を記録媒体に記録して移送することにより、またはプログラムまたはデジタル信号を、ネットワーク等を経由して移送することにより、独立した他のコンピュータシステムにより実施するとしてもよい。
【０１５６】
（５）上記実施の形態および上記変形例をそれぞれ組み合わせるとしてもよい。
【０１５７】
以上のように、本開示における技術の例示として、実施の形態を説明した。そのために、添付図面および詳細な説明を提供した。
【０１５８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１５９】
また、上述の実施の形態は、本開示における技術を例示するためのものであるから、請求の範囲またはその均等の範囲において種々の変更、置き換え、付加、省略などを行うことができる。
【産業上の利用可能性】
【０１６０】
本開示は、携帯端末やテレビ上に、視聴中のテレビ番組に関連する情報を表示する番組情報表示装置に利用できる。
【符号の説明】
【０１６１】
１  番組情報提供サーバ
２、７  携帯端末
３  テレビ
４  ネットワーク
５  放送局
６  番組特定サーバ
８  録画機能付きテレビ
１１、２３、６１、７７  制御部
１２、６２  送信部
１３  番組情報データベース
２１  特定部
２２  番組情報取得部
２４、３３  表示部
２５  保持部
２６  マイク
２７  カメラ
３１  チューナ部
３２  音声出力部
６３  番組位置データベース
８４  ＨＤＤ
２０１  ＣＰＵ
２０２  メモリ
２０３  ネットワークインターフェース
２０４  ディスプレイ
【図１】
2013179364.tif 000003
【図２Ａ】
2013179364.tif 000004
【図２Ｂ】
2013179364.tif 000005
【図３】
2013179364.tif 000006
【図４】
2013179364.tif 000007
【図５】
2013179364.tif 000008
【図６】
2013179364.tif 000009
【図７】
2013179364.tif 000010
【図８】
2013179364.tif 000011
【図９】
2013179364.tif 000012
【図１０】
2013179364.tif 000013
【図１１】
2013179364.tif 000014
【図１２】
2013179364.tif 000015
【手続補正書】
【提出日】平成25年3月4日(2013.3.4)
【手続補正１】
【補正対象書類名】明細書
【補正対象項目名】全文
【補正方法】変更
【補正の内容】
【発明の詳細な説明】
【技術分野】
【０００１】
本発明は、番組情報表示装置、番組情報出力装置および番組情報表示方法に関する。
【背景技術】
【０００２】
テレビ等の映像表示装置が表示する映像番組の番組内容に従って、映像番組の内容と関連する番組情報を表示する番組情報表示装置がある（例えば、特許文献１）。
【先行技術文献】
【特許文献】
【０００３】
【特許文献１】特開２００２‐２０９２０４号公報
【発明の概要】
【発明が解決しようとする課題】
【０００４】
テレビの番組等の映像番組は、本編と本編中に挿入されるＣＭ（コマーシャルメッセージ）等とで構成されている場合が多い。
【０００５】
しかしながら、従来技術では、映像番組が本編からＣＭに切り替わった場合、視聴者にＣＭを表示させ続けるための動機付けが十分でない。
【０００６】
そこで、本開示は、映像番組がＣＭ以外のシーン（本編のシーン）からＣＭのシーンに切り替わった場合でも、視聴者にＣＭを表示させ続けることのできる番組情報表示装置、番組情報出力装置および番組情報表示方法を提供する。
【課題を解決するための手段】
【０００７】
本開示における番組情報表示装置は、映像表示装置により表示されている映像番組と前記映像番組内でのシーンとを特定する特定情報を取得する特定部と、前記特定情報により特定される前記映像番組に関する番組情報であって、互いに内容の異なる第１の番組情報と、第２の番組情報とを含む番組情報を取得する取得部と、前記取得部により取得された前記番組情報を表示する表示部と、前記特定情報によって特定される前記映像番組内のシーンが、ＣＭ（コマーシャルメッセージ）以外のシーンから前記ＣＭのシーンに切り替わる場合、前記ＣＭ以外のシーンから前記ＣＭのシーンへの切り替わりに応じて、前記表示部に表示させる前記番組情報を前記第１の番組情報から前記第２の番組情報に切り替える制御部とを備える。
【発明の効果】
【０００８】
本開示における番組情報表示装置は、映像番組がＣＭ以外のシーン（本編のシーン）からＣＭのシーンに切り替わった場合でも、視聴者にＣＭを表示させ続けることができる。
【図面の簡単な説明】
【０００９】
【図１】図１は、実施の形態１に係る番組関連情報提供システムの構成例を示す図である。
【図２Ａ】図２Ａは、実施の形態１に係る番組情報提供サーバの構成を示すブロック図である。
【図２Ｂ】図２Ｂは、実施の形態１に係る番組特定サーバの構成を示すブロック図である。
【図３】図３は、実施の形態１に係る携帯端末の構成を示すブロック図である。
【図４】図４は、実施の形態１に係る携帯端末のハードウェア構成例を示す図である。
【図５】図５は、実施の形態１に係るテレビの構成を示すブロック図である。
【図６】図６は、実施の形態１に係る番組関連情報提供システムを構成する番組情報提供サーバと、携帯端末と、番組特定サーバとの間の処理の流れを示すシーケンス図である。
【図７】図７は、実施の形態１に係る携帯端末の動作を説明するためのフローチャートである。
【図８】図８は、ユーザが視聴中の映像番組内でのシーンの切り替わりと、表示する番組情報の切り替わりのタイミング例を示す図である。
【図９】図９は、実施の形態２に係る番組関連情報提供システムの構成例を示す図である。
【図１０】図１０は、実施の形態２に係る携帯端末の構成を示すブロック図である。
【図１１】図１１は、実施の形態２に係る録画機能付きテレビの構成を示すブロック図である。
【図１２】図１２は、実施の形態２に係る携帯端末の動作を説明するためのフローチャートである。
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者（ら）は、当業者が本開示を十分に理解するために添付図面および以下の説明を提供するのであって、これらによって請求の範囲に記載の主題を限定することを意図するものではない。
【００１２】
（実施の形態１）
以下、図１〜図８を用いて、実施の形態１を説明する。
【００１３】
［１−１．構成］
図１は、実施の形態１に係る番組関連情報提供システムの構成例を示す図である。図２Ａは、実施の形態１に係る番組情報提供サーバの構成を示すブロック図である。図２Ｂは、実施の形態１に係る番組特定サーバの構成を示すブロック図である。図３は、実施の形態１に係る携帯端末の構成を示すブロック図である。図４は、実施の形態１に係る携帯端末のハードウェア構成例を示す図である。図５は、実施の形態１に係るテレビの構成を示すブロック図である。
【００１４】
図１に示す番組関連情報提供システムは、番組情報提供サーバ１と、携帯端末２と、テレビ３と、ネットワーク４と、放送局５と、番組特定サーバ６と、を備える。
【００１５】
ネットワーク４は、番組情報提供サーバ１と、携帯端末２と、番組特定サーバ６とを接続するための通信媒体である。
【００１６】
放送局５は、テレビ３に映像番組を配信（放送）する配信元である。本実施の形態では、放送局を例として示すが、本実施の形態の発明はこれに限定されるものではない。テレビ３へ映像番組を送信するものであれば、放送局に限らず、ケーブルテレビ等の有線による配信局であってもよいし、ビデオオンデマンドのサーバでもよいし、ＩＰ放送のサーバ等を用いたコンピュータネットワークによるデータ送信装置等であってもよい。
【００１７】
番組情報提供サーバ１は、テレビ３等で表示されている映像番組内でのシーン（番組シーンとも記載）を特定する特定情報（シーン情報）等に基づいて、例えば放送されるテレビ番組の内容等に関連するコンテンツ（番組情報と記載）等、映像番組に関する番組情報を提供する。番組情報提供サーバ１は、携帯端末２などからの提供要求に応じて映像番組に対応する番組情報（コンテンツ）を提供する。
【００１８】
ここで、以下で用いる用語について説明する。
【００１９】
「番組情報（コンテンツ）」とは、映像番組に関する番組情報すなわち映像番組の内容に関連する情報である。例えば、映像中（表示されている映像番組）に俳優など人物が表示されている場合には、番組情報は、その俳優の各種情報（生年月日、性別、出演作品、俳優暦などのプロフィールや、その俳優に関するニュースなど）である。また、例えば、表示されている映像番組中に、商品が表示されている場合は、番組情報は、その商品の情報（製造メーカ、販売代理店、商品価格、商品紹介のＵＲＬ、商品レビュー等の情報など）である。また、例えば、表示されている映像番組がニュースである場合には、番組情報は、ニュースに関する情報（ニュースの概略、ニュース対象の主体、関連するニュース、当該ニュースに対する世間の評判等の情報など）である。つまり、番組情報（コンテンツ）とは、テレビ３等で表示されている映像番組中において、表示される内容または話題として取り上げられる内容、これらに関連する間接的な内容に関連する情報のことを意味する。
【００２０】
なお、本実施の形態では、番組特定情報は、例えば、放送局（映像配信元）、番組名、番組内での視聴位置（映像番組開始時からの経過時間等）、番組放送日時（配信日時）、等であるとして説明するが、この例に限定されない。番組を特定する情報、番組内での視聴部分等を特定する情報であればその他の情報構成であってもよい。
【００２１】
また、「番組シーンを特定する特定情報（シーン情報）」とは、映像番組内でのシーンを特定するための情報であり、典型的には表示されている映像番組内でのシーンを説明する情報である。例えば、表示されている映像番組がドラマである場合には、シーン情報は、ドラマのシーンの各種情報（どのようなシーンであるか、本編かＣＭか、次のシーンまで何秒か、シーンＩＤ等の情報、あるいは番組冒頭からの経過時間、放送される際に当該シーンが表示される絶対時間など）である。
【００２２】
なお、本実施の形態では、シーン情報は、例えば、シーンＩＤ，シーンタイプ（番組本編、ＣＭ）、シーン名、シーン開始時刻、シーン終了時刻、等の少なくともひとつを含むとして説明するが、それに限定されない。番組シーンを特定できる情報であればその他の情報構成であってもよい。
【００２３】
また、番組情報提供サーバ１は、図２Ａに示すように、制御部１１と、送信部１２と、番組情報データベース１３と、を備える。
【００２４】
制御部１１は、番組情報提供サーバ１全体を制御するとともに、番組情報（コンテンツ）を送信する制御を行う。具体的には、制御部１１は、携帯端末２から映像番組の放送局、表示日時の情報などを含む映像番組を特定する特定情報（番組特定情報）や、当該映像番組内の番組シーンを特定する特定情報（シーン情報）を受信すると、番組情報データベース１３から取得する当該番組シーンに関する（対応した）番組情報（コンテンツ）を送信する制御を行う。
【００２５】
送信部１２は、特定情報（番組特定情報やシーン情報）に基づき、制御部１１が番組情報データベース１３から取得した番組情報（コンテンツ）を携帯端末２へ送信する。
【００２６】
番組情報データベース１３は、特定情報（番組特定情報やシーン情報）により特定される映像番組に関連する番組情報（コンテンツ）を保持する。
【００２７】
番組特定サーバ６は、テレビ３等で表示されている映像番組を特定する特定情報（番組特定情報）や当該映像番組内の番組シーンを特定する特定情報（シーン情報）を提供する。具体的には、番組特定サーバ６は、携帯端末２などからの要求に応じて番組を特定する特定情報（番組特定情報）や当該映像番組内の番組シーンを特定する特定情報（シーン情報）を提供する。
【００２８】
番組特定サーバ６は、図２Ｂに示すように、制御部６１と、送信部６２と、番組位置データベースと、を備える。
【００２９】
制御部６１は、番組特定サーバ６全体を制御する。また、制御部６１は、テレビ３が表示する映像番組に基づいて、番組位置データベース６３から、該当する映像番組の番組特定情報、及び、その映像番組内での位置等を示す番組シーンを特定するシーン情報等を取得する。
【００３０】
本実施の形態では、制御部６１は、送信部６２を介して受信したデータ、例えばテレビ３が表示する映像番組の映像データもしくは音声データに基づいて、番組位置データベース６３から、番組特定情報を取得する。また、制御部６１は、送信部６２を介して受信したデータ、例えば表示日時および放送局、または、テレビ３が表示する映像番組の映像データもしくは音声データに基づいて、番組位置データベース６３から、映像番組内での位置等を示すシーン情報を取得する。そして、制御部６１は、取得した特定情報（番組特定情報、シーン情報）を、送信部６２を介して、携帯端末２へ送信する。
【００３１】
送信部６２は、制御部６１の指示等に従って、携帯端末２から、映像番組の音声等の映像番組に関する情報を受信し、番組位置データベース６３から抽出された特定情報（番組特定情報、シーン情報等）を携帯端末２へ送信する。
【００３２】
番組位置データベース６３は、放送局等から放送される映像番組の番組内容を特定する特定情報（番組特定情報）や、その映像番組内でのシーンを特定する特定情報（シーン情報）等を保持している。
【００３３】
携帯端末２は、番組情報表示装置の一例であり、番組情報（コンテンツ）を番組情報提供サーバ１から受信し、利用者（ユーザ）に受信した番組情報（コンテンツ）を表示する。
【００３４】
本実施の形態では、携帯端末２は、まず、テレビ３から出力される映像もしくは音声を利用して、特定情報（番組特定情報およびシーン情報）を取得する。換言すると、携帯端末２は、取得した映像もしくは音声を番組特定サーバ６へ送信することで、映像番組の放送局や表示日時、表示中の映像番組内でのシーンなどを特定する特定情報を取得する。そして、携帯端末２は、特定情報を用いて、番組情報（コンテンツ）を取得し、利用者（ユーザ）に提示（表示）する。以下、具体的に説明する。
【００３５】
携帯端末２は、図３に示すように、特定部２１と、番組情報取得部２２と、制御部２３と、表示部２４と、保持部２５と、マイク２６と、カメラ２７と、を備える。ここで、携帯端末２は、ネットワーク４を介して、番組情報提供サーバ１や番組特定サーバ６と物理的に直接接続されていてもよいし、ネットワーク４とそれぞれの間に１つ以上の装置を介在させて接続されているものであってもよい。
【００３６】
特定部２１は、テレビ３により表示されている映像番組と映像番組内でのシーンとを特定する特定情報（番組特定情報およびシーン情報）を取得する。具体的には、特定部２１は、テレビ３で視聴者が視聴している映像番組の放送局（配信元）、及び当該映像番組の表示日時などの番組特定情報を、テレビ３から出力される映像もしくは音声を基に、番組特定サーバ６へ問い合わせることで取得する。ここで、映像番組の特定方法として、映像もしくは音声から例えば指紋情報（Ｆｉｎｇｅｒ  Ｐｒｉｎｔ）などのデータを生成し、生成したデータを番組特定サーバ６に送信することで番組特定サーバ６に問い合わせる方法があるが、これに限定されるものでない。
【００３７】
番組情報取得部２２は、例えば取得部の一例であり、特定情報により特定される映像番組に関する番組情報であって、互いに内容の異なる第１の番組情報と、第２の番組情報とを含む番組情報を取得する。具体的には、番組情報取得部２２は、特定部２１により特定された特定情報（番組特定情報およびシーン情報）を用いて、番組特定サーバ６から、番組情報（コンテンツ）を受信する。
【００３８】
ここで、番組情報取得部２２は、テレビ３で映像番組を構成するＣＭのシーンが表示される前に、第２の番組情報を含む番組情報を取得して、取得した第２の番組情報を保持部２５に保持させるとしてもよい。
【００３９】
なお、映像番組は、ＣＭ以外のシーンとＣＭのシーンとで構成され、ＣＭ以外のシーンとは、映像番組を構成する本編のシーンである。第１の番組情報は、映像番組を構成するＣＭ以外のシーンの番組内容に関連する番組情報（通常コンテンツ）である。第２の番組情報は、テレビ３で映像番組を構成するＣＭのシーンが表示される間に表示部２４で表示される番組情報であって、映像番組を構成するＣＭ以外のシーン内容に関連する番組情報（特典コンテンツ）である。
【００４０】
より具体的には、通常コンテンツ（第１の番組情報）は、本編用の番組情報であり、例えば、映像番組がドラマ番組の場合、俳優の基本的な情報（名前、生年月日、性別）や、映像番組の本編（ドラマ）のあらすじなどである。一方、特典コンテンツ（第１の番組情報）は、ＣＭ中のための番組情報であり、例えば、映像番組がドラマ番組の場合、俳優の詳細な情報（俳優が身に着けている衣服、その他出演作品、俳優に関するニュース）や本編（ドラマ）のサイドストーリーなどである。また、別の例として、映像番組がスポーツ番組の場合、通常コンテンツ（第１の番組情報）は、打者の成績などであり、特典コンテンツ（第２の番組情報）は、ＣＭ中のベンチの情報や、選手交代の情報等である。なお、通常コンテンツ（第１の番組情報）、特典コンテンツ（第２の番組情報）は、上記例に限定されるものでない。
【００４１】
制御部２３は、携帯端末２全体を制御すると共に、番組情報の取得や表示などについて操作全体について制御する。そして、制御部２３は、特定部２１が取得した特定情報（番組特定情報及びシーン情報）を、番組情報取得部２２を介して番組情報提供サーバ１に送信する。制御部２３は、特定情報を用いて取得した番組情報を保持部２５に記録する。また、制御部２３は、取得した番組情報を表示部２４に表示するための制御を行なう。
【００４２】
具体的には、制御部２３は、特定情報によって特定される映像番組内のシーンが、ＣＭ（コマーシャルメッセージ）以外のシーンからＣＭのシーンに切り替わる場合、ＣＭ以外のシーンからＣＭのシーンへの切り替わりに応じて、表示部２４に表示させる番組情報を第１の番組情報から第２の番組情報に切り替える。
【００４３】
例えば、制御部２３は、特定情報によって特定される映像番組内のシーンが、ＣＭ以外のシーンからＣＭのシーンに切り替わる場合、ＣＭ以外のシーンからＣＭのシーンへの切り替わり直後に、表示部２４に表示させる番組情報を第１の番組情報から第２の番組情報に切り替えるとしてもよい。また、例えば、制御部２３は、特定情報によって特定される映像番組内のシーンが、ＣＭ以外のシーンからＣＭのシーンに切り替わる場合、ＣＭ以外のシーンからＣＭのシーンへの切り替わり直前に、表示部２４に表示させる前記番組情報を第１の番組情報から第２の番組情報に切り替えるとしてもよい。
【００４４】
また、制御部２３は、さらに、特定情報によって特定される映像番組内のシーンが、ＣＭのシーンからＣＭ以外のシーンに切り替わる場合、ＣＭのシーンからＣＭ以外のシーンへの切り替わりに応じて、表示部２４に表示させる番組情報を第２の番組情報から第１の番組情報に切り替える。ここで、上記同様に、制御部２３は、特定情報によって特定される映像番組内のシーンが、ＣＭのシーンからＣＭ以外のシーンに切り替わる場合、ＣＭのシーンからＣＭ以外のシーンへの切り替わり直後に、表示部２４に表示させる番組情報を第２の番組情報から前記第１の番組情報に切り替えるとしてもよい。また、制御部２３は、特定情報によって特定される映像番組内のシーンが、ＣＭのシーンからＣＭ以外のシーンに切り替わる場合、ＣＭのシーンからＣＭ以外のシーンへの切り替わり直前に、表示部２４に表示させる番組情報を第２の番組情報から前記第１の番組情報に切り替えるとしてもよい。
【００４５】
なお、制御部２３は、保持部２５にテレビ３で映像番組を構成するＣＭのシーンが表示される前に、第２の番組情報を含む番組情報（第２の番組情報）が保持されている場合、ＣＭ以外のシーンからＣＭのシーンへの切り替わりに応じて、表示部２４に表示させる番組情報を第１の番組情報から、保持部２５により保持されている第２の番組情報に切り替えるとしてもよい。
【００４６】
表示部２４は、例えば、番組情報取得部２２により取得された番組情報を表示する。また、表示部２４は、番組情報だけでなく、例えば表示対象となったシーン情報も表示する。
【００４７】
保持部２５は、少なくとも第２の番組情報を保持する。また、保持部２５は、取得したシーン情報や番組情報を保持するとしてもよい。
【００４８】
ここで、例えば、保持部２５は、テレビ３で映像番組を構成するＣＭのシーンが表示される前に、番組情報取得部２２により取得された第２の番組情報を含む番組情報（第２の番組情報）が保持される。
【００４９】
マイク２６は、テレビ３が表示する映像番組の映像とともに出力する音声を取得する。
【００５０】
カメラ２７は、テレビ３が表示する映像番組の映像を取得する。
【００５１】
なお、本実施の形態では、携帯端末２は、マイク２６と、カメラ２７と、の両方を備えるとして説明するが、これに限定されない。携帯端末２は、マイク２６、又は、カメラ２７の一方のみを備えるとしてもよい。つまり、マイク２６やカメラ２７は、テレビ３が表示する映像番組を特定するための特定情報（番組特定情報）を取得するためのデバイスの一例として例示されるものである。そのため、これら以外のデバイスを用いて、テレビ３が表示する映像番組を特定するための特定情報を取得できるものであれば、これらに限定されるものではない。
【００５２】
また、以上のように構成される携帯端末２は、例えば図４に示すハードウェアにより実現される。すなわち、携帯端末２は、例えば図４に示すように、ＣＰＵ２０１と、メモリ２０２と、ネットワークインターフェース２０３と、ディスプレイ２０４と、マイク２６と、カメラ２７と、を備えるハードウェア構成により実現される。
【００５３】
ＣＰＵ２０１は、携帯端末２全体を制御する。具体的に制御する部分は、ＣＰＵ２０１上で動作するソフトウェアプログラム等により実現される。なお、ＣＰＵ２０１は、図３に示す特定部２１の一部、番組情報取得部２２の一部、制御部２３等に該当する。
【００５４】
メモリ２０２は、データを記録する。メモリ２０２には、上記のＣＰＵ２０１上で動作するソフトウェアプログラムや、ソフトウェアプログラム動作時の一時変数、あるいは、番組特定サーバ６から取得したシーン情報、番組情報提供サーバ１から取得した番組情報（コンテンツ）等を記録する。なお、メモリ２０２は、図３に示す保持部２５等に該当する。
【００５５】
ネットワークインターフェース２０３は、ネットワーク接続された外部機器とデータを送受信する。なお、外部機器とのデータ送受信を行う際の接続形態は無線接続、有線接続等が考えられるがこれに限定するものでない。なお、ネットワークインターフェース２０３は、図３に示す特定部２１の一部、番組情報取得部２２の一部、等に該当する。
【００５６】
ディスプレイ２０４は、取得した番組情報（コンテンツ）等を表示する表示装置である。ディスプレイ２０４は、図３に示す表示部２４に該当する。
【００５７】
マイク２６は、上述したように、テレビ３からの音声を取得する装置である。
【００５８】
カメラ２７は、テレビ３が表示する映像を撮像する。カメラ２７は、図３に示すカメラ２７に該当する。
【００５９】
テレビ３は、映像表示装置の一例であり、携帯端末２の利用者（ユーザ）が、映像番組を視聴するための装置である。
【００６０】
テレビ３の視聴者は、例えば図１に示す放送局５から配信される映像番組をテレビ３で視聴する。その際、テレビ３を視聴時に視聴者の側に置いてある携帯端末２が、テレビ３から出力される音声を取得する。この音声に基づいて、携帯端末２は、番組特定サーバ６から視聴中の映像番組を特定する特定情報（番組特定情報）や視聴中の映像番組内でのシーンを特定する特定情報（シーン情報）を取得することができる。そのため、携帯端末２は、当該特定情報に基づいて、番組情報を取得して表示することができる。これにより、視聴者は、テレビ３が表示する映像番組内で関心のある内容について、携帯端末２でより詳細に番組情報を取得することができる。
【００６１】
テレビ３は、図５に示すように、チューナ部３１と、音声出力部３２と、表示部３３と、を備える。
【００６２】
チューナ部３１は、放送局５から配信される映像番組を受信、復調して音声出力部３２で音声を出力、ならびに表示部３３で映像を表示できるように変換する。
【００６３】
音声出力部３２は、チューナ部３１で復調された音声を出力する。
【００６４】
表示部３３は、チューナ部３１で復調された映像番組を表示する。
【００６５】
以上のように構成された番組関連情報提供システムでは、映像番組がＣＭ以外のシーン（本編のシーン）からＣＭのシーンに切り替わった場合、切り替わり時に特典コンテンツ（第２の番組情報）が携帯端末２の表示部２４に表示させることができる。それにより、映像番組がＣＭ以外のシーン（本編のシーン）からＣＭのシーンに切り替わった場合でも、視聴者にＣＭを表示（視聴）させ続けることができる。
【００６６】
［１−２．動作］
以上のように構成された番組関連情報提供システムについて、以下、それぞれの動作について詳細に説明する。
【００６７】
図６は、実施の形態１に係る番組関連情報提供システムを構成する番組情報提供サーバ１と、携帯端末２と、番組特定サーバ６との間の処理の流れを示すシーケンス図である。
【００６８】
まず、携帯端末２（特定部２１）は、番組特定サーバ６へ視聴中の映像番組を特定する特定情報（番組特定情報）の要求を行う（Ｓ１０１）。具体的には、携帯端末２は、マイク２６もしくはカメラ２７で取得した映像番組の音声もしくは映像のデータを送信する。
【００６９】
次に、番組特定サーバ６（制御部６１）は、取得したデータと番組位置データベース６３が保存するデータを照合し、視聴中の映像番組を特定（映像番組を特定する番組特定情報を取得）する。そして、番組特定サーバ６（送信部６２）は、取得した番組特定情報を携帯端末２へ送信する（Ｓ１０２）。
【００７０】
次に、携帯端末２（制御部２３）は、番組特定サーバ６に対して、視聴中の映像番組内のシーンを特定する特定情報（シーン情報）の要求を行う（Ｓ１０３）。ここで、携帯端末２（制御部２３）は、放送局、及びその表示日時等を含むデータを送信することでシーン情報の要求を行う。また、携帯端末２（制御部２３）は、その要求を行う際に、Ｓ１０２で取得した番組特定情報を同時に送信する。
【００７１】
次に、番組特定サーバ６（制御部６１）は、例えば、受信した映像番組の放送局及びその表示日時等を含むデータに基づいて、番組位置データベース６３から、対応する映像番組内のシーンを特定するシーン情報を検索して取得する。そして、番組特定サーバ６（送信部１２）は、取得した番組シーン情報を携帯端末２へ送信する（Ｓ１０４）。
【００７２】
以下、ユーザが現在視聴中の映像番組内でのシーンは本編のシーンであるとして説明する。
【００７３】
次に、携帯端末２（番組情報取得部２２）は、番組情報提供サーバ１に、特定部２１により特定された特定情報（番組特定情報およびシーン情報）を用いて、通常コンテンツ（第１の番組情報）の取得要求を行う（Ｓ１０５）。ここで、携帯端末２（番組情報取得部２２）は、取得要求を行う際、番組特定情報を同時に送信する。
【００７４】
次に、番組情報提供サーバ１（制御部１１）は、受信した番組特定情報に含まれる映像番組を配信する放送局、及びその表示日時に基づいて、番組情報データベース１３から対応する映像番組の本編に対応する通常コンテンツ（第１の番組情報）を検索して取得する。そして、番組情報提供サーバ１（送信部１２）は、取得した通常コンテンツ（第１の番組情報）を携帯端末２へ送信する（Ｓ１０６）。
【００７５】
次に、携帯端末２（番組情報取得部２２）は、番組情報提供サーバ１へＣＭ時に表示するための特典コンテンツ（第２の番組情報）の取得要求を行う（Ｓ１０７）。ここで、携帯端末２（番組情報取得部２２）は、取得要求を行う際、番組特定情報を同時に送信する。
【００７６】
次に、番組情報提供サーバ１（制御部１１）は、受信した番組特定情報に含まれる映像番組を配信する放送局、及びその表示日時に基づいて、番組情報データベース１３から映像番組のＣＭ時に対応する特典コンテンツ（第２の番組情報）を検索して取得する。そして、番組情報提供サーバ１（送信部１２）は、取得した特典コンテンツ（第２の番組情報）を携帯端末２へ送信する（Ｓ１０８）。
【００７７】
そして、携帯端末２（表示部２４）は、取得した番組情報（通常コンテンツや特典コンテンツ）を、テレビ３が表示する映像番組内のシーン（本編のシーンまたはＣＭのシーン）に応じて、表示する。
【００７８】
次に、携帯端末２における動作について説明する。
【００７９】
図７は、実施の形態１に係る携帯端末２の動作を説明するためのフローチャートである。図８は、ユーザが視聴中の映像番組内でのシーンの切り替わりと、表示する番組情報の切り替わりのタイミング例を示す図である。
【００８０】
まず、特定部２１は、制御部２３の指示により、マイク２６やカメラ２７を介してテレビ３から出力される音声もしくは映像を取得する。次いで、特定部２１は、番組特定サーバ６から、ユーザが現在視聴中の映像番組とその映像番組内でのシーンとを特定する特定情報（番組特定情報およびシーン情報）を取得する（Ｓ２０１）。具体的には、特定部２１は、番組特定サーバ６へ、マイク２６もしくはカメラ２７で取得した映像番組の音声もしくは映像のデータを送信する。そして、特定部２１は、番組特定サーバ６からの応答として、特定情報（番組特定情報およびシーン情報）を受信する。なお、特定部２１が特定情報を取得する処理は、Ｓ１０１〜Ｓ１０４で説明した通りであるので、詳細な説明は省略する。
【００８１】
次に、制御部２３は、取得したシーン情報から、テレビ３に表示されている映像番組内のシーンが本編のシーンかＣＭのシーンかを判定する（Ｓ２０２）。
【００８２】
ここで、例えば、シーン情報には、映像番組の本編、または、映像番組のコマーシャルメッセージ（ＣＭ）を識別するシーンタイプ等が含まれているとする。図８に示す場合では、シーン情報は、映像番組の本編１もしくは本編２であることを示すシーンタイプ、または、本編１と本編２との間に挿入されているＣＭであることを示すシーンタイプが含まれる。それにより、制御部２３は、取得したシーン情報から、テレビ３に表示されている映像番組内のシーンが本編のシーンかＣＭのシーンかを判定することができる。
【００８３】
次に、テレビ３に表示されている映像番組内のシーンが本編（例えば、本編１）であると判定した場合（Ｓ２０２で本編）、制御部２３は、番組情報取得部２２に、映像番組の本編１中に通常コンテンツ（第１の番組情報）を取得させる。そして、制御部２３は、取得した通常コンテンツ（第１の番組情報）を表示部２４に表示させる（Ｓ２０３）。なお、携帯端末２が通常コンテンツ（第１の番組情報）を取得する処理は、Ｓ１０５およびＳ１０６で説明した通りであるので、詳細な説明は省略する。
【００８４】
次に、テレビ３に表示されている映像番組内のシーンが本編（例えば、本編１）である間に、制御部２３は、映像番組のＣＭ時（図８で、本編１と本編２の間に挿入されたＣＭ１）に表示部２４で表示するための特典コンテンツ（第２の番組情報）を番組情報取得部２２に取得させる。そして、制御部２３は、番組情報取得部２２に、取得した特典コンテンツ（第２の番組情報）を保持部２５に格納（保持）させる（Ｓ２０４）。なお、携帯端末２が特典コンテンツ（第２の番組情報）を取得する処理は、Ｓ１０７およびＳ１０８で説明した通りであるので、詳細な説明は省略する。
【００８５】
一方、Ｓ２０２において、テレビ３に表示されている映像番組内のシーンがＣＭ（例えば、図８のＣＭ１）の場合、制御部２３は、表示部２４に保持部２５に保持されている特典コンテンツ）（第２の番組情報）を表示させる（Ｓ２０５）。
【００８６】
なお、テレビ３に表示されている映像番組内のシーンが本編である場合には、Ｓ２０１〜Ｓ２０４の処理が繰り返され、テレビ３に表示されている映像番組内のシーンがＣＭである場合には、Ｓ２０１〜Ｓ２０５の処理が繰り返される。
【００８７】
このようにして、通常コンテンツ（第１の番組情報）は、特定された番組シーンが本編である場合に携帯端末２の表示部２４に表示される。一方、特典コンテンツ（第２の番組情報）は、特定された番組シーンがＣＭである場合にのみ携帯端末２の表示部２４に表示される。
【００８８】
［１−３．効果等］
以上のように、本実施の形態の番組情報表示装置（携帯端末２）は、映像表示装置（テレビ３）により表示されている、映像番組と映像番組内でのシーンとを特定する特定情報（番組特定情報およびシーン情報）を取得する特定部（特定部２１）と、特定情報（番組特定情報およびシーン情報）により特定される映像番組に関する番組情報であって、互いに内容の異なる第１の番組情報（通常コンテンツ）と、第２の番組情報（特典コンテンツ）とを含む番組情報を取得する取得部（番組情報取得部２２）と、取得部（番組情報取得部２２）により取得された番組情報（コンテンツ）を表示する表示部（表示部２４）と、特定情報（番組特定情報およびシーン情報）によって特定される映像番組内のシーンが、ＣＭ以外（本編）のシーンからＣＭのシーンに切り替わる場合、ＣＭ以外（本編）のシーンからＣＭのシーンへの切り替わりに応じて、表示部（表示部２４）に表示させる番組情報（コンテンツ）を第１の番組情報（通常コンテンツ）から第２の番組情報（特典コンテンツ）に切り替える制御部（制御部２３）とを備える。
【００８９】
この構成により、映像番組がＣＭ以外（本編）のシーンからＣＭのシーンに切り替わった場合でも、視聴者にＣＭを表示させ続けることができる。
【００９０】
ここで、制御部（制御部２３）は、特定情報（番組特定情報およびシーン情報）によって特定される映像番組内のシーンが、ＣＭ以外（本編）のシーンからＣＭのシーンに切り替わる場合、ＣＭ以外（本編）のシーンからＣＭのシーンへの切り替わり直後に、表示部（表示部２４）に表示させる番組情報（コンテンツ）を第１の番組情報（通常コンテンツ）から第２の番組情報（特典コンテンツ）に切り替えるとしてもよい。
【００９１】
また、制御部（制御部２３）は、特定情報（番組特定情報およびシーン情報）によって特定される映像番組内のシーンが、ＣＭ以外（本編）のシーンからＣＭのシーンに切り替わる場合、ＣＭ以外（本編）のシーンからＣＭのシーンへの切り替わり直前に、表示部（表示部２４）に表示させる番組情報（コンテンツ）を第１の番組情報（通常コンテンツ）から第２の番組情報（特典コンテンツ）に切り替えるとしてもよい。
【００９２】
また、制御部（制御部２３）は、さらに、特定情報（番組特定情報およびシーン情報）によって特定される映像番組内のシーンが、ＣＭのシーンからＣＭ以外（本編）のシーンに切り替わる場合、ＣＭのシーンからＣＭ以外（本編）のシーンへの切り替わりに応じて、表示部（表示部２４）に表示させる番組情報（コンテンツ）を第２の番組情報（特典コンテンツ）から第１の番組情報（通常コンテンツ）に切り替えるとしてもよい。
【００９３】
ここで、制御部（制御部２３）は、特定情報（番組特定情報およびシーン情報）によって特定される映像番組内のシーンが、ＣＭのシーンからＣＭ以外（本編）のシーンに切り替わる場合、ＣＭのシーンからＣＭ以外（本編）のシーンへの切り替わり直後に、表示部（表示部２４）に表示させる番組情報（コンテンツ）を第２の番組情報（特典コンテンツ）から第１の番組情報（通常コンテンツ）に切り替えるとしてもよい。
【００９４】
また、制御部（制御部２３）は、特定情報（番組特定情報およびシーン情報）によって特定される映像番組内のシーンが、ＣＭのシーンからＣＭ以外（本編）のシーンに切り替わる場合、ＣＭのシーンからＣＭ以外（本編）のシーンへの切り替わり直前に、表示部（表示部２４）に表示させる番組情報（コンテンツ）を第２の番組情報（特典コンテンツ）から第１の番組情報（通常コンテンツ）に切り替えるとしてもよい。
【００９５】
これにより、番組情報表示装置の視聴者は、映像表示装置が表示する映像番組のシーンに応じて（本編のシーンまたはＣＭのシーン）、好適な番組情報を、表示することができる。例えば、番組情報表示装置が映像番組の本編のシーンを表示している場合には、番組情報表示装置は、本編のシーンに対応する番組情報（第１の番組情報）を表示するとともに、番組情報表示装置が映像番組のＣＭのシーンを表示する場合に番組情報表示装置の表示部で表示すべき番組情報（第２の番組情報）を取得する。そして、番組情報表示装置が映像番組のＣＭのシーンをした場合には、番組情報表示装置は、ＣＭのシーンに対応する番組情報を表示する（第２の番組情報）。
【００９６】
このように、視聴者は、映像番組がＣＭ中となった場合でも、番組情報表示装置でその映像番組に対応する番組情報（第２の番組情報）を視聴することができる。それにより、視聴者は映像番組の本編と関係のないＣＭが表示されている場合でも、映像番組と関連する番組情報を視聴する動機付けを与えられるので、視聴者にＣＭを表示させ続けることができる。
【００９７】
また、本実施の形態の番組情報表示装置（携帯端末２）は、さらに、少なくとも第２の番組情報（特典コンテンツ）を保持する保持部（保持部２５）を備え、取得部（番組情報取得部２２）は、映像表示装置（テレビ３）で映像番組を構成するＣＭのシーンが表示される前に、第２の番組情報（特典コンテンツ）を含む番組情報（コンテンツ）を取得して、取得した第２の番組情報（特典コンテンツ）を保持部（保持部２５）に保持させる。そして、制御部（制御部２３）は、ＣＭ以外（本編）のシーンからＣＭのシーンへの切り替わりに応じて、表示部(表示部２４)に表示させる番組情報を第１の番組情報（通常コンテンツ）から保持部（保持部２５）により保持されている第２の番組情報（特典コンテンツ）に切り替えるとしてもよい。
【００９８】
それにより、映像番組のＣＭ以外（本編）のシーンからＣＭのシーンへの切り替わりに応じて、番組情報を切り替えることができる。
【００９９】
なお、本実施の形態では、映像番組の特定方法として、携帯端末２が取得した映像もしくは音声データを元に番組特定サーバ６へ問い合わせる手法を用いたが、それに限らない。例えば、放送局５が放送する映像番組の映像もしくは音声に情報を埋め込む手法、例えばウォーターマーク技術を用いることで映像番組を特定するとしてもよい。
【０１００】
また、本実施の形態では、特定情報（番組特定情報およびシーン情報）を、番組特定サーバ６へ問い合わせるとして説明したが、それに限られない。特定情報のうち、番組特定情報のみを番組特定サーバ６に問い合わせ、シーン情報を番組情報提供サーバ１に問い合わせるとしてもよい。
【０１０１】
また、特典コンテンツ（第２の番組情報）を番組特定サーバ６から取得する際に、取得ＵＲＬをシーン情報に格納することも考えられる。その場合、ＣＭ前の本編を見た視聴者にのみ特典コンテンツ（第２の番組情報）を取得できる状況を作り出すことができる。
【０１０２】
また、本実施の形態では、本編中に特典コンテンツ（第２の番組情報）を取得し、携帯端末２内の保持部２５に保持する構成について説明したが、それに限らない。例えば、本編視聴中は特典コンテンツ（第２の番組情報）の取得ＵＲＬ等を保持部２５に保持するとし、番組シーンがＣＭに切り替わったタイミングで特典コンテンツ（第２の番組情報）を保持部２５から取得して表示するとしてもよい。また、例えば、番組シーンがＣＭに切り替わった後（ＣＭ中に）、特典コンテンツ（第２の番組情報）を取得して、表示するとしてもよい。
【０１０３】
また、本実施の形態では、図６のＳ１０５、１０６及びＳ１０７とＳ１０８とにおいて、別の処理で本編用の通常コンテンツ（第１の番組情報）とＣＭ用の特典コンテンツ（第２の番組情報）とをそれぞれ取得する場合の例について説明したが、これに限られない。例えば、通常コンテンツ（第１の番組情報）と特典コンテンツ（第２の番組情報）を同じステップで取得するとしてもよい。その場合には、携帯端末２と番組情報提供サーバ１との間の通信量あるいは通信回数を抑制することが可能となる効果を奏する。
【０１０４】
（実施の形態２）
以下、図９〜図１２を用いて、実施の形態１で説明した番組関連情報提供システムと異なる例を、実施の形態２として説明する。
【０１０５】
［２−１．構成］
図９は、実施の形態２に係る番組関連情報提供システムの構成例を示す図である。図１０は、実施の形態２に係る携帯端末の構成を示すブロック図である。図１１は、実施の形態２に係る録画機能付きテレビの構成を示すブロック図である。
【０１０６】
本実施の形態の番組関連情報提供システム（図９）と、本実施の形態１で説明した番組関連情報提供システム（図１）との相違点は、以下の２つである。すなわち、（１）視聴する映像番組が録画機能付きテレビ８で録画した映像番組であることと、（２）利用者（ユーザ）が録画機能付きテレビ８に対してＣＭスキップ操作を行った場合の携帯端末７の動作である。それ以外の点については、実施の形態１と同じであるので説明を省略する。
【０１０７】
ここで、ＣＭスキップ操作とは、録画した映像番組の再生中に、ＣＭ部分を早送りまたはスキップする操作のことをいう。
【０１０８】
なお、図９に示す番組関連情報提供システムは、図１に示す番組関連情報提供システムも対してテレビ３に代わり録画機能付きテレビ８と、携帯端末２に代わり携帯端末７とを備えている点が構成上異なる。
【０１０９】
携帯端末７は、番組情報表示装置の一例であり、特定部２１と、番組情報取得部２２と、表示部２４と、保持部２５と、マイク２６と、カメラ２７と、制御部７７と、を備える。
【０１１０】
特定部２１と番組情報取得部２２と、表示部２４と、保持部２５と、マイク２６と、カメラ２７と、は実施の形態１と同じであるので説明を省略する。
【０１１１】
制御部７７は、携帯端末２全体を制御すると共に、番組情報の取得、表示などについて情報の操作全体について制御する。具体的には、制御部７７は、実施の形態１の制御部２３の機能はすべて備えている。さらに、制御部７７は、利用者（ユーザ）が録画機能付きテレビ８で再生する映像番組中のＣＭをスキップする等、ＣＭを見ない操作を検出した場合に、番組情報の表示を制御する。
【０１１２】
より具体的には、制御部７７は、録画機能付きテレビ８でＣＭのシーンの表示がスキップされたか否かを検出する。そして、制御部７７は、録画機能付きテレビ８でＣＭのシーンの表示がスキップされたことを検出した場合、表示部２４に表示させる番組情報を第２の番組情報（特典コンテンツ）に切り替えずに第１の番組情報（通常コンテンツ）のままとする。
【０１１３】
例えば、制御部７７は、ＣＭのシーンの表示がスキップされた場合（録画機能付きテレビ８でＣＭのシーンの表示がスキップされたことを検出した場合）、保持部２５に保持されている第２の番組情報を破棄し、表示部２４に表示させる番組情報を第２の番組情報（特典コンテンツ）に切り替えずに第１の番組情報（通常コンテンツ）のままとする。
【０１１４】
録画機能付きテレビ８は、映像表示装置の一例であり、チューナ部３１と、音声出力部３２と、表示部３３と、ＨＤＤ８４と、を備える。
【０１１５】
チューナ部３１と、音声出力部３２と、表示部３３とは、実施の形態１のテレビ３のそれぞれの構成と同じであるので説明を省略する。
【０１１６】
ＨＤＤ８４は、チューナ部３１で事前に取得した映像番組を保持（記録）する蓄積媒体である。ＨＤＤ８４は、録画機能付きテレビ８の視聴者（ユーザ）の指示等に従って、保持している映像番組の情報を、出力する。出力された映像番組の情報は、必要に応じて復号等の処理が施され、表示部３３や音声出力部３２から出力される。
【０１１７】
以上のように図９に示す番組関連情報提供システムは構成されている。
【０１１８】
［２−２．動作］
次に、本実施の形態における携帯端末７の動作について説明する。
【０１１９】
図１２は、実施の形態２に係る携帯端末７の動作を説明するためのフローチャートである。
【０１２０】
なお、Ｓ３０３およびＳ３０４を除く処理については、実施の形態１で説明した通りであるので説明を省略する。具体的には、Ｓ３０１および図７のＳ２０１、Ｓ３０２および図７のＳ２０２、Ｓ３０５および図７のＳ２０３、Ｓ３０６と図７のＳ２０４、ならびに、Ｓ３０７および図７のＳ２０５、は実施の形態１と同じ処理であるためこれらの処理については説明を省略する。
【０１２１】
Ｓ３０２で本編の場合、すなわち制御部７７により録画機能付きテレビ８に表示されている映像番組内のシーンが本編（例えば、本編１）であると判定された場合、制御部７７は、録画機能付きテレビ８でＣＭのシーンの表示がスキップされたか否かを検出する（Ｓ３０３）。これは、ユーザが、録画機能付きテレビ８で録画した映像番組の本編を視聴していると、その後、番組シーンが本編からＣＭに切り替わるときがある。そのとき、利用者は、リモコン操作等によりＣＭスキップを行う場合があるからである。そのため、録画機能付きテレビ８に表示されている映像番組内のシーンが本編（例えば、本編１）であると判定後に、制御部７７により、ＣＭスキップが行なわれた否かが判定される。
【０１２２】
以下、ＣＭスキップの判定方法について具体的に説明する。
【０１２３】
ここで、シーン情報には、例えば本編のシーンであることを示す本編シーン情報、ＣＭのシーンであることを示すＣＭシーン情報、及び、シーン識別子（ＩＤ）と、が含まれているとする。また、本編シーン情報とＣＭシーン情報とは排他的に有効となる情報であり、シーン情報は、映像番組を構成する本編とそれに続くＣＭでは同一のシーン識別子を有するとする。
【０１２４】
この場合、制御部７７は、本編シーン情報とシーン識別子（ＩＤ）とを用いて、映像番組内でのシーンが本編のシーンであることを特定することができる。同様に、制御部７７は、ＣＭシーン情報とシーン識別子（ＩＤ）とで、映像番組内でのシーンがＣＭのシーンであることを特定できる。また、制御部７７は、シーン情報が本編とそれに続くＣＭと同一のシーン識別子を有する場合でも、本編のシーンとＣＭのシーンとは本編シーン情報とＣＭシーン情報とで区別できる。
【０１２５】
したがって、制御部７７は、取得した現在の映像番組のシーン情報を有するシーンＩＤと、直前に取得したシーン情報のシーンＩＤとが合致するかどうかと、ＣＭシーン情報を取得した（ＣＭのシーンを経由した）かどうかを確認することで、ＣＭスキップを判定できる。具体的には、制御部７７は、現在のシーンＩＤと直前のシーンＩＤとが合致していること、かつ、ＣＭシーン情報を取得したことを確認した場合には、ＣＭ後に新たな本編が再生されていると判定できる。また、制御部７７は、現在のシーンＩＤと直前のシーンＩＤが合致していないこと、かつ、ＣＭシーン情報を取得していないことを確認した場合には、本編のシーン後のＣＭのシーンをスキップ（視聴していない）したと判定することができる。
【０１２６】
Ｓ３０３において、ＣＭスキップが行われたと判定された場合（Ｓ３０３でＹＥＳ）、制御部７７は、それまで保持部２５に保持していた特典コンテンツ（第２の番組情報）を破棄する（Ｓ３０４）。
【０１２７】
一方、Ｓ３０３において、ＣＭスキップが行われたと判定されない場合（Ｓ３０３でＮｏ）、携帯端末７は、Ｓ３０５の処理に進む。
【０１２８】
このようにして、録画機能付きテレビ８でＣＭスキップを行った場合、携帯端末７は、ＣＭ直前の本編に対する特典コンテンツ（第２の番組情報）を破棄するので、視聴者は携帯端末７で特典コンテンツ（第２の番組情報）を視聴できなくなる。
【０１２９】
つまり、録画機能付きテレビ８でＣＭスキップを行った場合、携帯端末７は、ＣＭ直前の本編に対する特典コンテンツ（第２の番組情報）を破棄するので、携帯端末７の視聴者が、録画機能付きテレビ８でＣＭを視聴する場合のみ特典コンテンツ（第２の番組情報）を閲覧できる状況を作り出すことが可能となる。
【０１３０】
それにより、映像番組がＣＭ以外（本編）のシーンからＣＭのシーンに切り替わった場合でも、視聴者にＣＭを表示させ続けることができる。
【０１３１】
［２−３．効果等］
以上のように、本実施の形態の番組情報表示装置（携帯端末２）では、制御部（制御部２３）は、さらに、映像表示装置（録画機能付きテレビ８）でＣＭのシーンの表示がスキップされたか否かを検出する。制御部（制御部２３）は、映像表示装置（録画機能付きテレビ８）でＣＭのシーンの表示がスキップされたことを検出した場合、表示部（表示部２４）に表示させる番組情報（コンテンツ）を第２の番組情報（特典コンテンツ）に切り替えずに第１の番組情報（通常コンテンツ）のままとする。
【０１３２】
ここで、制御部（制御部２３）は、映像表示装置（録画機能付きテレビ８）でＣＭのシーンの表示がスキップされた場合、保持部（保持部２５）に保持されている第２の番組情報（特典コンテンツ）を破棄し、表示部（表示部２４）に表示させる番組情報（コンテンツ）を第２の番組情報（特典コンテンツ）に切り替えずに第１の番組情報（通常コンテンツ）のままとする。
【０１３３】
換言すると、番組情報表示装置（携帯端末７）は、映像番組のシーンに対応した番組情報を取得する。そして、映像表示装置（録画機能付きテレビ８）で映像番組内でのＣＭのシーンがスキップや早送り等で通常に表示されなかった場合、スキップ等されたＣＭのシーンに対応する第２の番組情報（特典コンテンツ）を、番組情報表示装置（携帯端末７）は表示しない。つまり、番組情報表示装置（携帯端末７）は、映像表示装置（録画機能付きテレビ８）がＣＭのシーンを通常再生する場合のみ第２の番組情報（特典コンテンツ）を表示する。番組情報表示装置（携帯端末７）は、視聴者がＣＭをスキップ等した場合、本来ＣＭ中に表示する予定で取得していた第２の番組情報（特典コンテンツ）を破棄する。
【０１３４】
これにより、視聴者がＣＭのシーンを見ない場合には、ＣＭのシーンを見た人のみに提供する第２の番組情報（特典コンテンツ）の提供を抑制することができる。それにより、視聴者にＣＭのシーンの視聴を促すことができるので、番組情報提供者若しくは映像番組内のＣＭのシーンの提供者が、ＣＭのシーンを視聴者に視聴して貰うという目的を実現することができる効果を奏する。
【０１３５】
なお、本実施の形態では録画した映像番組の視聴時の操作について説明したが、それに限らない。リアルタイム放送時でも、同様に適用できる。その場合、例えば、番組情報表示装置（携帯端末７）は、利用者がＣＭを視聴しない状況（例えば番組シーンがＣＭとなった直後に他チャンネルに切り替え、ＣＭ後の本編が始まったときに再度チャンネルを切り替える等）でシーンＩＤが離散的に変化したことを確認した場合、第２の番組情報（特典コンテンツ）を破棄するとすればよい。
【０１３６】
（その他の実施の形態）
以上のように、本出願において開示する技術の例示として、実施の形態１および２を説明した。しかしながら、本開示における技術は、これに限定されず、適宜、変更、置き換え、付加、省略などを行った実施の形態にも適用可能である。また、上記実施の形態１および２で説明した各構成要素を組み合わせて、新たな実施の形態とすることも可能である。
【０１３７】
以下のような場合も本開示に含まれる。
【０１３８】
例えば実施の形態２では、ＣＭをスキップした場合に第２の番組情報（特典コンテンツ）を表示しないことについて説明したがそれに限られない。ＣＭをスキップしない場合でも、本編を一定時間視聴していないならば、第２の番組情報（特典コンテンツ）を表示しないとしてもよい。具体的には、制御部は、さらに、映像表示装置でＣＭ以外のシーンの表示が所定時間以上されたか否かを検出するとし、制御部は、映像表示装置によりＣＭ以外のシーンの表示が所定時間以上されていないことを検出した場合、特定情報によって特定される映像番組内のシーンが、ＣＭ以外のシーンからＣＭのシーンに切り替わるときでも、表示部に表示させる番組情報を第２の番組情報に切り替えずに第１の番組情報のままとするとしてもよい。
【０１３９】
また、実施の形態１及び実施の形態２では、テレビや録画機能付きテレビなどの映像表示装置と番組情報表示装置とは独立して実現する場合を例に説明したがこれに限定されるものではない。例えば、図１におけるテレビ３（映像表示装置）と、携帯端末２（番組情報表示装置）とが一体となった番組情報表示装置として実現するとしてもよい。
【０１４０】
この場合、具体的には、番組情報表示装置は、映像番組と前記映像番組内でのシーンとを特定する特定情報を取得する特定部と、前記特定情報により特定される前記映像番組に関する番組情報であって、互いに内容の異なる第１の番組情報と、第２の番組情報とを含む番組情報を取得する取得部と、前記映像番組と、前記取得部により取得された前記番組情報とを表示する表示部と、前記特定情報によって特定される前記映像番組内のシーンが、ＣＭ（コマーシャルメッセージ）以外のシーンから前記ＣＭのシーンに切り替わる場合、前記ＣＭ以外のシーンから前記ＣＭのシーンへの切り替わりに応じて、前記表示部に表示させる前記番組情報を前記第１の番組情報から前記第２の番組情報に切り替える制御部と、を備える。
【０１４１】
また、携帯端末２（番組情報表示装置）から表示部を削除し、番組情報はテレビ３（映像表示装置）や他の表示装置等に出力する番組情報出力装置として実現することも可能である。
【０１４２】
この場合、具体的には、番組情報出力装置は、映像表示装置により表示されている映像番組と前記映像番組内でのシーンとを特定する特定情報を取得する特定部と、前記特定情報により特定される前記映像番組に関する番組情報であって、互いに内容の異なる第１の番組情報と、第２の番組情報とを含む番組情報を取得する取得部と、前記取得部により取得された前記番組情報を出力する出力部と、前記特定情報によって特定される前記映像番組内のシーンが、ＣＭ（コマーシャルメッセージ）以外のシーンから前記ＣＭのシーンに切り替わる場合、前記ＣＭ以外のシーンから前記ＣＭのシーンへの切り替わりに応じて、前記出力部が出力する前記番組情報を前記第１の番組情報から前記第２の番組情報に切り替える制御部と、を備える。
【０１４３】
また、図１０に示す携帯端末７（番組情報表示装置）が録画機能付きテレビ（映像表示装置）の録画機能を備えた番組情報出力装置であってもよい。この場合、出力される番組情報や映像番組の映像は、別の表示機器（テレビ）等で視聴することができる。
【０１４４】
この場合、具体的には、番組情報出力装置は、映像番組と前記映像番組内でのシーンとを特定する特定情報を取得する特定部と、前記特定情報により特定される前記映像番組に関する番組情報であって、互いに内容の異なる第１の番組情報と、第２の番組情報とを含む番組情報を取得する取得部と、前記映像番組と、前記番組情報とを保持する保持部と、前記保持部に保持された前記映像番組を再生する再生部と、前記再生部により再生されている前記映像番組であって前記取得部により取得された前記特定情報により特定される前記映像番組の前記番組情報を出力する出力部と、前記再生部により再生されている前記映像番組内のシーンが、ＣＭ（コマーシャルメッセージ）以外のシーンから前記ＣＭのシーンに切り替わる場合、前記ＣＭ以外のシーンから前記ＣＭのシーンへの切り替わりに応じて、前記出力部が出力する前記番組情報を前記第１の番組情報から前記第２の番組情報に切り替える制御部と、を備える。
【０１４５】
また、以下のような場合も本開示に含まれる。
【０１４６】
（１）上記の各装置は、具体的には、マイクロプロセッサ、ＲＯＭ、ＲＡＭ、ハードディスクユニット、ディスプレイユニット、キーボード、マウスなどから構成されるコンピュータシステムで実現され得る。ＲＡＭまたはハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０１４７】
（２）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＯＭには、コンピュータプログラムが記憶されている。マイクロプロセッサが、ＲＯＭからＲＡＭにコンピュータプログラムをロードし、ロードしたコンピュータプログラムにしたがって演算等の動作することにより、システムＬＳＩは、その機能を達成する。
【０１４８】
（３）上記の各装置を構成する構成要素の一部または全部は、各装置に脱着可能なＩＣカードまたは単体のモジュールから構成されてもよい。ＩＣカードまたはモジュールは、マイクロプロセッサ、ＲＯＭ、ＲＡＭなどから構成されるコンピュータシステムである。ＩＣカードまたはモジュールには、上記の超多機能ＬＳＩが含まれてもよい。マイクロプロセッサが、コンピュータプログラムにしたがって動作することにより、ＩＣカードまたはモジュールは、その機能を達成する。このＩＣカードまたはこのモジュールは、耐タンパ性を有してもよい。
【０１４９】
（４）本開示は、上記に示す方法で実現されてもよい。また、これらの方法をコンピュータにより実現するコンピュータプログラムで実現してもよいし、コンピュータプログラムからなるデジタル信号で実現してもよい。
【０１５０】
例えば、上記各実施の形態の番組情報表示装置などを実現するソフトウェアは、次のようなプログラムである。
【０１５１】
すなわち、このプログラムは、コンピュータに、映像表示装置により表示されている映像番組と前記映像番組内でのシーンとを特定する特定情報を取得する特定ステップと、前記特定情報により特定される前記映像番組に関する番組情報であって、互いに内容の異なる第１の番組情報と、第２の番組情報とを含む番組情報を取得する取得ステップと、前記取得ステップにおいて取得された前記番組情報を表示部に表示する表示ステップと、  前記特定情報によって特定される前記映像番組内のシーンが、ＣＭ（コマーシャルメッセージ）以外のシーンから前記ＣＭのシーンに切り替わる場合、前記ＣＭ以外のシーンから前記ＣＭのシーンへの切り替わりに応じて、前記表示ステップで前記表示部に表示させる前記番組情報を前記第１の番組情報から前記第２の番組情報に切り替える切替ステップとを実行させる。
【０１５２】
また、本開示は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したもので実現してもよい。また、これらの記録媒体に記録されているデジタル信号で実現してもよい。
【０１５３】
また、本開示は、コンピュータプログラムまたはデジタル信号を、電気通信回線、無線または有線通信回線、インターネットを代表とするネットワーク、データ放送等を経由して伝送してもよい。
【０１５４】
また、本開示は、マイクロプロセッサとメモリを備えたコンピュータシステムであって、メモリは、コンピュータプログラムを記憶しており、マイクロプロセッサは、コンピュータプログラムにしたがって動作してもよい。
【０１５５】
また、プログラムまたはデジタル信号を記録媒体に記録して移送することにより、またはプログラムまたはデジタル信号を、ネットワーク等を経由して移送することにより、独立した他のコンピュータシステムにより実施するとしてもよい。
【０１５６】
（５）上記実施の形態および上記変形例をそれぞれ組み合わせるとしてもよい。
【０１５７】
以上のように、本開示における技術の例示として、実施の形態を説明した。そのために、添付図面および詳細な説明を提供した。
【０１５８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１５９】
また、上述の実施の形態は、本開示における技術を例示するためのものであるから、請求の範囲またはその均等の範囲において種々の変更、置き換え、付加、省略などを行うことができる。
【産業上の利用可能性】
【０１６０】
本開示は、携帯端末やテレビ上に、視聴中のテレビ番組に関連する情報を表示する番組情報表示装置に利用できる。
【符号の説明】
【０１６１】
１  番組情報提供サーバ
２、７  携帯端末
３  テレビ
４  ネットワーク
５  放送局
６  番組特定サーバ
８  録画機能付きテレビ
１１、２３、６１、７７  制御部
１２、６２  送信部
１３  番組情報データベース
２１  特定部
２２  番組情報取得部
２４、３３  表示部
２５  保持部
２６  マイク
２７  カメラ
３１  チューナ部
３２  音声出力部
６３  番組位置データベース
８４  ＨＤＤ
２０１  ＣＰＵ
２０２  メモリ
２０３  ネットワークインターフェース
２０４  ディスプレイ
【手続補正２】
【補正対象書類名】特許請求の範囲
【補正対象項目名】全文
【補正方法】変更
【補正の内容】
【特許請求の範囲】
【請求項１】
映像表示装置により表示されている映像番組と前記映像番組内でのシーンとを特定する特定情報を取得する特定部と、
前記特定情報により特定される前記映像番組に関する番組情報であって、互いに内容の異なる第１の番組情報と、第２の番組情報とを含む番組情報を取得する取得部と、
前記取得部により取得された前記番組情報を表示する表示部と、
前記特定情報によって特定される前記映像番組内のシーンが、ＣＭ（コマーシャルメッセージ）以外のシーンから前記ＣＭのシーンに切り替わる場合、前記ＣＭ以外のシーンから前記ＣＭのシーンへの切り替わりに応じて、前記表示部に表示させる前記番組情報を前記第１の番組情報から前記第２の番組情報に切り替える制御部とを備える、
番組情報表示装置。
【請求項２】
前記制御部は、
前記特定情報によって特定される前記映像番組内のシーンが、前記ＣＭ以外のシーンから前記ＣＭのシーンに切り替わる場合、前記ＣＭ以外のシーンから前記ＣＭのシーンへの切り替わり直後に、前記表示部に表示させる前記番組情報を前記第１の番組情報から前記第２の番組情報に切り替える、
請求項１に記載の番組情報表示装置。
【請求項３】
前記制御部は、
前記特定情報によって特定される前記映像番組内のシーンが、前記ＣＭ以外のシーンから前記ＣＭのシーンに切り替わる場合、前記ＣＭ以外のシーンから前記ＣＭのシーンへの切り替わり直前に、前記表示部に表示させる前記番組情報を前記第１の番組情報から前記第２の番組情報に切り替える、
請求項１に記載の番組情報表示装置。
【請求項４】
前記制御部は、さらに、
前記特定情報によって特定される前記映像番組内のシーンが、前記ＣＭのシーンから前記ＣＭ以外のシーンに切り替わる場合、前記ＣＭのシーンから前記ＣＭ以外のシーンへの切り替わりに応じて、前記表示部に表示させる前記番組情報を前記第２の番組情報から前記第１の番組情報に切り替える、
請求項１〜３のいずれか１項に記載の番組情報表示装置。
【請求項５】
前記制御部は、
前記特定情報によって特定される前記映像番組内のシーンが、前記ＣＭのシーンから前記ＣＭ以外のシーンに切り替わる場合、前記ＣＭのシーンから前記ＣＭ以外のシーンへの切り替わり直後に、前記表示部に表示させる前記番組情報を前記第２の番組情報から前記第１の番組情報に切り替える、
請求項４に記載の番組情報表示装置。
【請求項６】
前記制御部は、
前記特定情報によって特定される前記映像番組内のシーンが、前記ＣＭのシーンから前記ＣＭ以外のシーンに切り替わる場合、前記ＣＭのシーンから前記ＣＭ以外のシーンへの切り替わり直前に、前記表示部に表示させる前記番組情報を前記第２の番組情報から前記第１の番組情報に切り替える、
請求項４に記載の番組情報表示装置。
【請求項７】
前記制御部は、さらに、前記映像表示装置で前記ＣＭのシーンの表示がスキップされたか否かを検出し、
前記制御部は、前記映像表示装置で前記ＣＭのシーンの表示がスキップされたことを検出した場合、前記表示部に表示させる前記番組情報を前記第２の番組情報に切り替えずに前記第１の番組情報のままとする、
請求項１〜６のいずれか１項に記載の番組情報表示装置。
【請求項８】
前記番組情報表示装置は、さらに、少なくとも前記第２の番組情報を保持する保持部を備え、
前記取得部は、前記映像表示装置で前記映像番組を構成する前記ＣＭのシーンが表示される前に、前記第２の番組情報を含む番組情報を取得して、取得した前記第２の番組情報を前記保持部に保持させ、
前記制御部は、前記ＣＭ以外のシーンから前記ＣＭのシーンへの切り替わりに応じて、前記表示部に表示させる前記番組情報を前記第１の番組情報から前記保持部により保持されている前記第２の番組情報に切り替える、
請求項１〜７のいずれか１項に記載の番組情報表示装置。
【請求項９】
前記取得部は、前記映像表示装置で前記映像番組を構成する前記ＣＭのシーンが表示されたときに、前記第２の番組情報を含む番組情報を取得し、
前記制御部は、前記ＣＭ以外のシーンから前記ＣＭのシーンへの切り替わりに応じて、前記表示部に表示させる前記番組情報を前記第１の番組情報から前記取得部により取得された前記第２の番組情報に切り替える、
請求項１〜７のいずれか１項に記載の番組情報表示装置。
【請求項１０】
前記制御部は、
前記映像表示装置で前記ＣＭのシーンの表示がスキップされた場合、前記保持部に保持されている前記第２の番組情報を破棄し、前記表示部に表示させる前記番組情報を前記第２の番組情報に切り替えずに前記第１の番組情報のままとする、
請求項８に記載の番組情報表示装置。
【請求項１１】
前記制御部は、さらに、前記映像表示装置で前記ＣＭ以外のシーンの表示が所定時間以上されたか否かを検出し、
前記制御部は、前記映像表示装置により前記ＣＭ以外のシーンの表示が所定時間以上されていないことを検出した場合、前記特定情報によって特定される前記映像番組内のシーンが、前記ＣＭ以外のシーンから前記ＣＭのシーンに切り替わるときでも、前記表示部に表示させる前記番組情報を前記第２の番組情報に切り替えずに前記第１の番組情報のままとする、
請求項１〜１０のいずれか１項に記載の番組情報表示装置。
【請求項１２】
前記映像番組は、ＣＭ以外のシーンと前記ＣＭのシーンとで構成され、
前記ＣＭ以外のシーンとは、映像番組を構成する本編のシーンである、
請求項１〜１１のいずれか１項に記載の番組情報表示装置。
【請求項１３】
前記第１の番組情報は、前記映像番組を構成する前記ＣＭ以外のシーンの番組内容に関連する番組情報であり、
前記第２の番組情報は、前記映像表示装置で前記映像番組を構成する前記ＣＭのシーンが表示される間に前記表示部で表示される番組情報であって、前記映像番組を構成する前記ＣＭ以外のシーン内容に関連する番組情報である、
請求項１〜１２のいずれか１項に記載の番組情報表示装置。
【請求項１４】
映像番組と前記映像番組内でのシーンとを特定する特定情報を取得する特定部と、
前記特定情報により特定される前記映像番組に関する番組情報であって、互いに内容の異なる第１の番組情報と、第２の番組情報とを含む番組情報を取得する取得部と、
前記映像番組と、前記取得部により取得された前記番組情報とを表示する表示部と、
前記特定情報によって特定される前記映像番組内のシーンが、ＣＭ（コマーシャルメッセージ）以外のシーンから前記ＣＭのシーンに切り替わる場合、前記ＣＭ以外のシーンから前記ＣＭのシーンへの切り替わりに応じて、前記表示部に表示させる前記番組情報を前記第１の番組情報から前記第２の番組情報に切り替える制御部とを備える、
番組情報表示装置。
【請求項１５】
映像番組と前記映像番組内でのシーンとを特定する特定情報を取得する特定部と、
前記特定情報により特定される前記映像番組に関する番組情報であって、互いに内容の異なる第１の番組情報と、第２の番組情報とを含む番組情報を取得する取得部と、
前記映像番組と、前記番組情報とを保持する保持部と、
前記保持部に保持された前記映像番組を再生する再生部と、
前記再生部により再生されている前記映像番組であって前記取得部により取得された前記特定情報により特定される前記映像番組の前記番組情報を出力する出力部と、
前記再生部により再生されている前記映像番組内のシーンが、ＣＭ（コマーシャルメッセージ）以外のシーンから前記ＣＭのシーンに切り替わる場合、前記ＣＭ以外のシーンから前記ＣＭのシーンへの切り替わりに応じて、前記出力部が出力する前記番組情報を前記第１の番組情報から前記第２の番組情報に切り替える制御部と、を備える、
番組情報出力装置。
【請求項１６】
映像表示装置により表示されている映像番組と前記映像番組内でのシーンとを特定する特定情報を取得する特定部と、
前記特定情報により特定される前記映像番組に関する番組情報であって、互いに内容の異なる第１の番組情報と、第２の番組情報とを含む番組情報を取得する取得部と、
前記取得部により取得された前記番組情報を出力する出力部と、
前記特定情報によって特定される前記映像番組内のシーンが、ＣＭ（コマーシャルメッセージ）以外のシーンから前記ＣＭのシーンに切り替わる場合、前記ＣＭ以外のシーンから前記ＣＭのシーンへの切り替わりに応じて、前記出力部が出力する前記番組情報を前記第１の番組情報から前記第２の番組情報に切り替える制御部と、を備える、
番組情報出力装置。
【請求項１７】
映像表示装置により表示されている映像番組と前記映像番組内でのシーンとを特定する特定情報を取得する特定ステップと、
前記特定情報により特定される前記映像番組に関する番組情報であって、互いに内容の異なる第１の番組情報と、第２の番組情報とを含む番組情報を取得する取得ステップと、
前記取得ステップにおいて取得された前記番組情報を表示部に表示する表示ステップと、
前記特定情報によって特定される前記映像番組内のシーンが、ＣＭ（コマーシャルメッセージ）以外のシーンから前記ＣＭのシーンに切り替わる場合、前記ＣＭ以外のシーンから前記ＣＭのシーンへの切り替わりに応じて、前記表示ステップで前記表示部に表示させる前記番組情報を前記第１の番組情報から前記第２の番組情報に切り替える切替ステップとを含む、
番組情報表示方法。
【請求項１８】
番組情報方法をコンピュータに実行させるためのプログラムであって、
映像表示装置により表示されている映像番組と前記映像番組内でのシーンとを特定する特定情報を取得する特定ステップと、
前記特定情報により特定される前記映像番組に関する番組情報であって、互いに内容の異なる第１の番組情報と、第２の番組情報とを含む番組情報を取得する取得ステップと、
前記取得ステップにおいて取得された前記番組情報を表示部に表示する表示ステップと、
前記特定情報によって特定される前記映像番組内のシーンが、ＣＭ（コマーシャルメッセージ）以外のシーンから前記ＣＭのシーンに切り替わる場合、前記ＣＭ以外のシーンから前記ＣＭのシーンへの切り替わりに応じて、前記表示ステップで前記表示部に表示させる前記番組情報を前記第１の番組情報から前記第２の番組情報に切り替える切替ステップとを含む、
プログラム。
【手続補正３】
【補正対象書類名】図面
【補正対象項目名】全図
【補正方法】変更
【補正の内容】
【図１】
2013179364.tif 000016
【図２Ａ】
2013179364.tif 000017
【図２Ｂ】
2013179364.tif 000018
【図３】
2013179364.tif 000019
【図４】
2013179364.tif 000020
【図５】
2013179364.tif 000021
【図６】
2013179364.tif 000022
【図７】
2013179364.tif 000023
【図８】
2013179364.tif 000024
【図９】
2013179364.tif 000025
【図１０】
2013179364.tif 000026
【図１１】
2013179364.tif 000027
【図１２】
2013179364.tif 000028
【手続補正書】
【提出日】平成25年5月27日(2013.5.27)
【手続補正１】
【補正対象書類名】特許請求の範囲
【補正対象項目名】全文
【補正方法】変更
【補正の内容】
【特許請求の範囲】
【請求項１】
映像表示装置により表示され、ＣＭ（コマーシャルメッセージ）以外のシーンとＣＭのシーンから構成される映像番組と前記映像表示装置に現に表示されている前記映像番組内でのシーンが前記ＣＭ以外のシーンであるか前記ＣＭのシーンであるかを特定する特定情報を取得する特定部と、
前記特定情報により特定される前記映像番組に関する番組情報であって、互いに内容の異なる第１の番組情報と、第２の番組情報とを含む番組情報を取得する取得部と、
前記取得部により取得された前記第１の番組情報および前記第２の番組情報のいずれかを選択的に表示する表示部と、
前記特定情報によって特定される前記映像番組内のシーンが、前記ＣＭ以外のシーンでは前記第１の番組情報を前記表示部に表示させ、前記特定情報によって特定される前記映像番組内のシーンが、前記ＣＭ以外のシーンから前記ＣＭのシーンに切り替わる場合、前記ＣＭ以外のシーンから前記ＣＭのシーンへの切り替わりタイミングまたは前記ＣＭ以外のシーンから前記ＣＭのシーンへの切り替わりタイミングの直前もしくは直後に、前記表示部に表示させる前記番組情報を前記第１の番組情報から前記第２の番組情報に切り替える制御部とを備える、
番組情報表示装置。
【請求項２】
前記制御部は、さらに、
前記特定情報によって特定される前記映像番組内のシーンが、前記ＣＭのシーンから前記ＣＭ以外のシーンに切り替わる場合、前記ＣＭのシーンから前記ＣＭ以外のシーンへの切り替わりタイミングまたは前記ＣＭのシーンから前記ＣＭ以外のシーンへの切り替わりタイミングの直前もしくは直後に、前記表示部に表示させる前記番組情報を前記第２の番組情報から前記第１の番組情報に切り替える、
請求項１に記載の番組情報表示装置。
【請求項３】
前記制御部は、さらに、前記映像表示装置で前記ＣＭのシーンの表示がスキップされたか否かを検出し、
前記制御部は、前記映像表示装置で前記ＣＭのシーンの表示がスキップされたことを検出した場合、前記表示部に表示させる前記番組情報を前記第２の番組情報に切り替えずに前記第１の番組情報のままとする、
請求項１または２に記載の番組情報表示装置。
【請求項４】
前記番組情報表示装置は、さらに、少なくとも前記第２の番組情報を保持する保持部を備え、
前記取得部は、前記映像表示装置で前記映像番組を構成する前記ＣＭのシーンが表示される前に、前記第２の番組情報を含む番組情報を取得して、取得した前記第２の番組情報を前記保持部に保持させ、
前記制御部は、前記ＣＭ以外のシーンから前記ＣＭのシーンへの切り替わりタイミングまたは前記ＣＭ以外のシーンから前記ＣＭのシーンへの切り替わりタイミングの直前もしくは直後に、前記表示部に表示させる前記番組情報を前記第１の番組情報から前記保持部により保持されている前記第２の番組情報に切り替える、
請求項１〜３のいずれか１項に記載の番組情報表示装置。
【請求項５】
前記取得部は、前記映像表示装置で前記映像番組を構成する前記ＣＭのシーンが表示されたときに、前記第２の番組情報を含む番組情報を取得し、
前記制御部は、前記ＣＭ以外のシーンから前記ＣＭのシーンへの切り替わりタイミングまたは前記ＣＭ以外のシーンから前記ＣＭのシーンへの切り替わりタイミングの直前もしくは直後に、前記表示部に表示させる前記番組情報を前記第１の番組情報から前記取得部により取得された前記第２の番組情報に切り替える、
請求項１〜４のいずれか１項に記載の番組情報表示装置。
【請求項６】
前記制御部は、
前記映像表示装置で前記ＣＭのシーンの表示がスキップされた場合、前記保持部に保持されている前記第２の番組情報を破棄し、前記表示部に表示させる前記番組情報を前記第２の番組情報に切り替えずに前記第１の番組情報のままとする、
請求項４に記載の番組情報表示装置。
【請求項７】
前記制御部は、さらに、前記映像表示装置で前記ＣＭ以外のシーンの表示が所定時間以上されたか否かを検出し、
前記制御部は、前記映像表示装置により前記ＣＭ以外のシーンの表示が所定時間以上されていないことを検出した場合、前記特定情報によって特定される前記映像番組内のシーンが、前記ＣＭ以外のシーンから前記ＣＭのシーンに切り替わるときでも、前記表示部に表示させる前記番組情報を前記第２の番組情報に切り替えずに前記第１の番組情報のままとする、
請求項１〜６のいずれか１項に記載の番組情報表示装置。
【請求項８】
前記ＣＭ以外のシーンとは、映像番組を構成する本編のシーンである、
請求項１〜７のいずれか１項に記載の番組情報表示装置。
【請求項９】
前記第１の番組情報は、前記映像番組を構成する前記ＣＭ以外のシーンの番組内容に関連する番組情報であり、
前記第２の番組情報は、前記映像表示装置で前記映像番組を構成する前記ＣＭのシーンが表示される間に前記表示部で表示される番組情報であって、前記映像番組を構成する前記ＣＭ以外のシーン内容に関連する番組情報である、
請求項１〜８のいずれか１項に記載の番組情報表示装置。
【請求項１０】
ＣＭ（コマーシャルメッセージ）以外のシーンとＣＭのシーンから構成される映像番組と現に表示されている前記映像番組内でのシーンが前記ＣＭ以外のシーンであるか前記ＣＭのシーンであるかを特定する特定情報を取得する特定部と、
前記特定情報により特定される前記映像番組に関する番組情報であって、互いに内容の異なる第１の番組情報と、第２の番組情報とを含む番組情報を取得する取得部と、
前記映像番組と、前記取得部により取得された前記第１の番組情報および前記第２の番組情報のいずれかを選択的に表示する表示部と、
前記特定情報によって特定される前記映像番組内のシーンが、前記ＣＭ以外のシーンでは前記第１の番組情報を前記表示部に表示させ、前記特定情報によって特定される前記映像番組内のシーンが、前記ＣＭ以外のシーンから前記ＣＭのシーンに切り替わる場合、前記ＣＭ以外のシーンから前記ＣＭのシーンへの切り替わりタイミングまたは前記ＣＭ以外のシーンから前記ＣＭのシーンへの切り替わりタイミングの直前もしくは直後に、前記表示部に表示させる前記番組情報を前記第１の番組情報から前記第２の番組情報に切り替える制御部とを備える、
番組情報表示装置。
【請求項１１】
ＣＭ（コマーシャルメッセージ）以外のシーンとＣＭのシーンから構成される映像番組と現に表示されている前記映像番組内でのシーンが前記ＣＭ以外のシーンであるか前記ＣＭのシーンであるかを特定する特定情報を取得する特定部と、
前記特定情報により特定される前記映像番組に関する番組情報であって、互いに内容の異なる第１の番組情報と、第２の番組情報とを含む番組情報を取得する取得部と、
前記映像番組と、前記番組情報とを保持する保持部と、
前記保持部に保持された前記映像番組を再生する再生部と、
前記再生部により再生されている前記映像番組であって前記取得部により取得された前記特定情報により特定される前記映像番組の前記第１の番組情報および前記第２の番組情報のいずれかを選択的に出力する出力部と、
前記再生部により再生されている前記映像番組内のシーンが、前記ＣＭ以外のシーンでは前記第１の番組情報を前記表示部に表示させ、前記特定情報によって特定される前記映像番組内のシーンが、前記ＣＭ以外のシーンから前記ＣＭのシーンに切り替わる場合、前記ＣＭ以外のシーンから前記ＣＭのシーンへの切り替わりタイミングまたは前記ＣＭ以外のシーンから前記ＣＭのシーンへの切り替わりタイミングの直前もしくは直後に、前記出力部が出力する前記番組情報を前記第１の番組情報から前記第２の番組情報に切り替える制御部と、を備える、
番組情報出力装置。
【請求項１２】
映像表示装置により表示され、ＣＭ（コマーシャルメッセージ）以外のシーンとＣＭのシーンから構成される映像番組と前記映像表示装置に現に表示されている前記映像番組内でのシーンが前記ＣＭ以外のシーンであるか前記ＣＭのシーンであるかを特定する特定情報を取得する特定部と、
前記特定情報により特定される前記映像番組に関する番組情報であって、互いに内容の異なる第１の番組情報と、第２の番組情報とを含む番組情報を取得する取得部と、
前記取得部により取得された前記第１の番組情報および前記第２の番組情報のいずれかを選択的に出力する出力部と、
前記特定情報によって特定される前記映像番組内のシーンが、前記ＣＭ以外のシーンでは前記第１の番組情報を前記表示部に表示させ、前記特定情報によって特定される前記映像番組内のシーンが、前記ＣＭ以外のシーンから前記ＣＭのシーンに切り替わる場合、前記ＣＭ以外のシーンから前記ＣＭのシーンへの切り替わりタイミングまたは前記ＣＭ以外のシーンから前記ＣＭのシーンへの切り替わりタイミングの直前もしくは直後に、前記出力部が出力する前記番組情報を前記第１の番組情報から前記第２の番組情報に切り替える制御部と、を備える、
番組情報出力装置。
【請求項１３】
映像表示装置により表示され、ＣＭ（コマーシャルメッセージ）以外のシーンとＣＭのシーンから構成される映像番組と前記映像表示装置に現に表示されている前記映像番組内でのシーンが前記ＣＭ以外のシーンであるか前記ＣＭのシーンであるかを特定する特定情報を取得する特定ステップと、
前記特定情報により特定される前記映像番組に関する番組情報であって、互いに内容の異なる第１の番組情報と、第２の番組情報とを含む番組情報を取得する取得ステップと、
前記取得ステップにおいて取得された前記第１の番組情報および前記第２の番組情報のいずれかを選択的に表示部に表示する表示ステップと、
前記特定情報によって特定される前記映像番組内のシーンが、前記ＣＭ以外のシーンでは前記第１の番組情報を前記表示部に表示させ、前記特定情報によって特定される前記映像番組内のシーンが、前記ＣＭ以外のシーンから前記ＣＭのシーンに切り替わる場合、前記ＣＭ以外のシーンから前記ＣＭのシーンへの切り替わりタイミングまたは前記ＣＭ以外のシーンから前記ＣＭのシーンへの切り替わりタイミングの直前もしくは直後に、前記表示ステップで前記表示部に表示させる前記番組情報を前記第１の番組情報から前記第２の番組情報に切り替える切替ステップとを含む、
番組情報表示方法。
【請求項１４】
番組情報方法をコンピュータに実行させるためのプログラムであって、
映像表示装置により表示され、ＣＭ（コマーシャルメッセージ）以外のシーンとＣＭのシーンから構成される映像番組と前記映像表示装置に現に表示されている前記映像番組内でのシーンが前記ＣＭ以外のシーンであるか前記ＣＭのシーンであるかを特定する特定情報を取得する特定ステップと、
前記特定情報により特定される前記映像番組に関する番組情報であって、互いに内容の異なる第１の番組情報と、第２の番組情報とを含む番組情報を取得する取得ステップと、
前記取得ステップにおいて取得された前記第１の番組情報および前記第２の番組情報のいずれかを選択的に表示部に表示する表示ステップと、
前記特定情報によって特定される前記映像番組内のシーンが、前記ＣＭ以外のシーンでは前記第１の番組情報を前記表示部に表示させ、前記特定情報によって特定される前記映像番組内のシーンが、前記ＣＭ以外のシーンから前記ＣＭのシーンに切り替わる場合、前記ＣＭ以外のシーンから前記ＣＭのシーンへの切り替わりタイミングまたは前記ＣＭ以外のシーンから前記ＣＭのシーンへの切り替わりタイミングの直前もしくは直後に、前記表示ステップで前記表示部に表示させる前記番組情報を前記第１の番組情報から前記第２の番組情報に切り替える切替ステップとを含む、
プログラム。
【国際調査報告】
2013179364.tif 000029
2013179364.tif 000030